(57)【要約】【課題】携帯電話機器に握りを追加することによって携帯電話の支持を行うと同時に、操作キーを使用形態に応じた位置に変更する機構を設けて、データ入力時は親指の押下し易い位置にキーを移動する。これにより、片手のみで容易にデータ入力することを可能とする携帯電話機のデータ入力装置を提供することを目的とする。【解決手段】第一の把持手段４と、文字数字キー５、表示部分２を有し、文字数字キー５を押すことによってデータ入力を行う携帯電話等の携帯情報機器において、第二の把持手段１８を設け、第一の把持手段４を第二の把持手段１８に対して距離を調整できる構成とし、文字数字キー５をヒンジ軸によって回動可能な操作キー部材の上に設けて入力形態に応じて入力しやすい位置に変更することのできる構成とした。【選択図】　　　　図１
2004112758.tif 000002
【特許請求の範囲】
【請求項１】
電気接点の開閉によって入力を検知する文字数字キーやファンクションキーを含む操作キーの入力で数字や文字を含むデータ入力を行う携帯電話、携帯情報機器等のデータ入力装置において、筐体を把持するための第一の把持手段と、前記第一の把持手段の表面を保って移動可能な操作キー部材を備えることを特徴とするデータ入力装置。
【請求項２】
電気接点の開閉によって入力を検知する文字数字キーやファンクションキーを含む操作キーの入力で数字や文字を含むデータ入力を行う携帯電話、携帯情報機器等のデータ入力装置において、文字数字キーがファンクションキーより把持手段上部に位置する文字入力モードと、ファンクションキーが文字数字キーより把持手段上部に位置する電話発信モードの、両方に遷移自在である事を特徴とするデータ入力装置。
【請求項３】
請求項１に記載のデータ入力装置において、さらに前記第一の把持手段の任意の位置に設置した使用者が手に持ったときの第一の把持手段正面に垂直な第一の軸を中心とする同心円上を回動自在な第一のヒンジ軸部を備え、前記移動可能な操作キー部材が、操作キーを備えるとともに前記第一のヒンジ軸部によって第一の把持手段に連結され第一の把持手段の表面上を保って回動自在であることを特徴としたデータ入力装置。
【請求項４】
請求項１に記載のデータ入力装置において、さらに前記第一の把持手段の任意の位置に設置した使用者が手に持ったときの第一の把持手段正面に垂直な軸を中心とする同心円上を回動自在な第一のヒンジ軸部と、前記移動可能な操作キー部材の移動する軌道下の第一の把持手段上に設置された電気接点、を備え、前記移動可能な操作キー部材が、電気接点を備えた操作キートップを備えるとともに前記第一のヒンジ軸部によって第一の把持手段に連結され第一の把持手段の表面上を保って回動自在であることを特徴としたデータ入力装置。
【請求項５】
請求項１に記載のデータ入力装置において、さらに前記第一の把持手段の任意の位置に設置した使用者が手に持ったときの第一の把持手段正面に垂直な軸を中心とする同心円上を回動自在な第一のヒンジ軸部と、前記移動可能な操作キー部材の移動する軌道下の第一の把持手段上に設置されたキースイッチ、を備え、前記移動可能な操作キー部材が、操作キートップを備えるとともに前記第一のヒンジ軸部によって第一の把持手段に連結され第一の把持手段の表面上を保って回動自在であることを特徴としたデータ入力装置。
【請求項６】
請求項１から請求項５に記載のデータ入力装置において、キートップが数字と文字が表示されたキートップであり、かつ数字と文字が上下逆に表示されていることを特徴とするデータ入力装置。
【請求項７】
請求項１に記載のデータ入力装置において、さらに前記第一の把持手段の任意の位置に設置した第一のガイドレールをそなえ、前記移動可能な操作キー部材が、第一の操作キーを備えるとともに前記第一のガイドレールに沿って筐体表面を保って摺動自在である事を特徴とするデータ入力装置。
【請求項８】
請求項７に記載のデータ入力装置において、さらに前記第一の把持手段表面に第二の操作キー群を備え、前記第一の把持手段に設置した前記第一のガイドレールが第一の把持手段上下方向に設けられており、前記移動可能な操作キー部材が、前記第一の把持手段に取り付けられた第二の操作キーのうち上部を覆って下部を露出する第一の状態と、第二の操作キーのうち下部を覆って上部を露出する第二の状態と、を相互に遷移可能であることを特徴とするデータ入力装置。
【請求項９】
請求項３に記載のデータ入力装置において、さらに前記第一の把持手段表面に第二の操作キー群を備え、前記第一のヒンジ軸部が、前記移動可能な操作キー部材の上端までの距離と下端までの距離が異なる位置に接続されており、前記移動可能な操作キー部材が、前記第一の把持手段に取り付けられた第二の操作キーのうち上部を覆って下部を露出する第一の状態と、第二の操作キーのうち下部を覆って上部を露出する第二の状態と、を相互に遷移可能であることを特徴とするデータ入力装置。
【請求項１０】
請求項７から請求項９に記載のデータ入力装置において、前記移動可能な操作キー部材の動きを拘束又は解放するロック機構と、前記移動可能な操作キー部材を第一の把持手段表面上の上部方向または前記移動可能な操作キー部材を第一の把持手段表面上の下部方向に付勢する付勢手段と、前記ロック機構の拘束または開放を指示する指示手段、を備えることを特徴とするデータ入力装置。
【請求項１１】
電気接点の開閉によって入力を検知する文字数字キーやファンクションキーを含む操作キーの入力で数字や文字を含むデータ入力を行う携帯電話、携帯情報機器等のデータ入力装置において、筐体を把持するための第一の把持手段と、前記第一の把持手段の任意の位置に設置した第一の把持手段上下方向に垂直な第二の軸を中心とする同心円上を回動自在な第二のヒンジ軸部と、前記第二のヒンジ軸部によって第一の把持手段に対して開閉可能に取り付けられた操作キー部材と、前記開閉可能に取り付けられた操作キー部材の表面に配置された第一の操作キーと、前記開閉可能に取り付けられた操作キー部材によって覆われる第一の把持手段上の領域に設けられた第二の操作キーと、前記開閉可能に取り付けられた操作キー部材の裏面に前記開閉可能に取り付けられた操作キー部材が開いたときに正位置なるように配置された第三の操作キーと、を備える事を特徴とするデータ入力装置。
【請求項１２】
請求項１１に記載のデータ入力装置において、前記開閉可能に取り付けられた操作キー部材の動きを拘束又は解放するロック機構と、前記開閉可能に取り付けられた操作キー部材を開く方向または閉じる方向に回動付勢する付勢手段と、前記ロック機構の拘束または開放を指示する指示手段、を備えることを特徴とするデータ入力装置。
【請求項１３】
電気接点の開閉によって入力を検知する文字数字キーやファンクションキーを含む操作キーの入力で数字や文字を含むデータ入力を行う携帯電話、携帯情報機器等の機器において、筐体を把持するための第一の把持手段と、前記第一の把持手段の上に設置されて前記第一の把持手段の外縁を超えて延出可能なアームと、前記アームに取り付けられた操作キーと、を備えることを特徴とするデータ入力装置。
【請求項１４】
請求項１３に記載のデータ入力装置において、前記第一の把持手段の任意の位置に設置した第一のガイドレールを備え、前記第一の把持手段の外縁を超えて延出可能なアームが、前記第一のガイドレールに沿って筐体表面を保って摺動自在な摺動部材、からなることを特徴とするデータ入力装置。
【請求項１５】
請求項１３に記載のデータ入力装置において、前記第一の把持手段の任意の位置に設置した使用者が手に持ったときの第一の把持手段正面に垂直な軸を中心とする同心円上を回動自在な第一のヒンジ軸部を備え、前記第一の把持手段の外縁を超えて延出可能なアームが、前記第一のヒンジ軸部によって第一の把持手段に連結され第一の把持手段の表面上を保って回動自在であり、前記第一のヒンジ軸部と第一の把持手段の外縁までの距離より長手方向が長く構成した回動部材、からなることを特徴とするデータ入力装置。
【請求項１６】
請求項１５に記載のデータ入力装置のうち、少なくとも二つのアームと、前記各々のアームと前記第一の把持手段を接続する少なくとも二つの第一のヒンジ軸部と、を備え、前記アームが二つ以上の操作キーからなるキー列で構成されるアームであり、前記第一のヒンジ軸部が、複数の前記アームからなるアーム群が第一の把持手段上に占有する領域の対角線状に設置されていることを特徴とするデータ入力装置。
【請求項１７】
請求項１３から請求項１６に記載のデータ入力装置において、前記各々のアームが駆動力伝達手段で接続され、連動可能であることを特徴とするデータ入力装置。
【請求項１８】
請求項１３から請求項１７に記載のデータ入力装置において、前記アームが第一の把持手段から延出した第一の状態と前記アームが第一の把持手段に収納された第二の状態とを相互に遷移可能であり、前記アームの動きを拘束又は解放するロック機構と、前記アームを延出する方向または収納する方向に付勢する付勢手段と、前記ロック機構の拘束または開放を指示する指示手段、を備えることを特徴とするデータ入力装置。
【請求項１９】
電気接点の開閉によって入力を検知する文字数字キーやファンクションキーを含む操作キーの入力で数字や文字を含むデータ入力を行う携帯電話、携帯情報機器等のデータ入力装置において、筐体を把持するための第一の把持手段と、前記第一の把持手段の表面に取り付けられた操作キーと、前記操作キーによって入力されたデータを表示する表示部と、第一の把持手段と挟持して筐体を固定する第二の把持手段と、を備え、第一の把持手段が第二の把持手段に対して移動可能である事を特徴とするデータ入力装置。
【請求項２０】
電気接点の開閉によって入力を検知する文字数字キーやファンクションキーを含む操作キーの入力で数字や文字を含むデータ入力を行う携帯電話、携帯情報機器等のデータ入力装置において、筐体を把持するための第一の把持手段と、前記第一の把持手段の表面に移動可能に設置した操作キー部材と、前記移動可能な操作キー部材によって入力されたデータを表示する表示部と、第一の把持手段と挟持して筐体を固定する第二の把持手段と、を備え、第一の把持手段が第二の把持手段に対して移動可能である事を特徴とするデータ入力装置。
【請求項２１】
請求項１９から請求項２０に記載のデータ入力装置において、前記第一の把持手段が前記第二の把持手段と当接した第一の状態と前記第一の把持手段が任意の位置に移動した第二の状態に相互に遷移可能であり、さらに前記第一の把持手段の動きを拘束又は解放するロック機構と、前記第一の把持手段を前記第二の把持手段に当接する方向または離れる方向に付勢する付勢手段と、前記ロック機構の拘束または開放を指示する指示手段、を備えることを特徴とするデータ入力装置。
【請求項２２】
請求項２０に記載のデータ入力装置において、前記第一の把持手段の移動に連動して前記移動可能な操作キー部材を移動させる駆動力伝達手段を備えることを特徴とするデータ入力装置。
【請求項２３】
請求項１９から請求項２０に記載のデータ入力装置において、第一の把持手段を移動可能とする手段が、表示部と第二の把持手段からなる本体の任意の位置に設置した使用者が手に持ったときの第一の把持手段正面に垂直な軸を中心とする同心円上を回動自在な第三のヒンジ軸部を備えて、前記第三のヒンジ軸部によって筐体の表面を保って第一の把持手段が回動する手段であることを特徴とするデータ入力装置。
【請求項２４】
請求項１９から請求項２０に記載のデータ入力装置において、第一の把持手段を移動可能とする手段が、表示部と第二の把持手段からなる本体の任意の位置に設置した第二のガイドレールを備えて、前記第二のガイドレールに沿って筐体の表面を保って第一の把持手段が摺動する手段であることを特徴とするデータ入力装置。
【請求項２５】
請求項２０に記載のデータ入力装置において、さらに前記第一の把持手段の任意の位置に設置した使用者が手に持ったときの第一の把持手段正面に垂直な第一の軸を中心とする同心円上を回動自在な第一のヒンジ軸部をそなえ、前記第一の把持手段の表面に移動可能に設置した操作キー部材が、前記第一のヒンジ軸部によって第一の把持手段に連結され第一の把持手段の表面上を保って回動可能に設置した操作キー部材であることを特徴とするデータ入力装置。
【請求項２６】
請求項２０に記載のデータ入力装置において、さらに前記第一の把持手段の任意の位置に設置した第一のガイドレールをそなえ、前記第一の把持手段の表面に移動可能に設置した操作キー部材が、前記第一のガイドレールに沿って摺動移動可能に設置した操作キー部材であることを特徴とするデータ入力装置。
【請求項２７】
請求項２２に記載のデータ入力装置において、駆動力伝達手段が、前記移動可能に設置した操作キー部材に取り付けられる第一のラッチと、前記ラッチに噛合するアイドルギヤと、前記アイドルギアに噛合して表示部と第二の把持手段からなる本体に固定された第二のラッチ、からなることを特徴とするデータ入力装置。
【請求項２８】
請求項２０に記載のデータ入力装置において、駆動力伝達手段が、前記移動可能に設置した操作キー部材を表示部と第二の把持手段からなる本体に連結する連結部材であることを特徴とするデータ入力装置。
【発明の詳細な説明】
【０００１】
【発明の属する技術分野】
本発明は携帯電話装置や、携帯情報機器のデータ入力装置、特に操作キーによって文字、数字を含むデータを入力するデータ入力装置に関する。
【０００２】
【従来の技術】
従来のデータ入力装置にはキーボード上に配置されたキーを押下する事によってキーに対応するデータを入力する方法がある。データ入力装置の中でも数字キーボードを備える携帯電話等の携帯情報機器へのデータ入力は一般の電話と同様に数字キーを押下して数字データを入力するか、キーにあ行、か行などの五十音を割り当て、目的のかなの入っている行に相当するキーを任意の回数おして目的のかなを呼び出して文字データを入力する方法が主流である。
【０００３】
まず、図３０を用いて従来の携帯情報機器の構成を説明する。図３０（ａ）は従来の携帯情報機器の正面図である。携帯情報機器のうち、携帯電話の構成を説明している。従来の携帯電話は表示画面１、表示部２、第一の把持手段４、操作キー５を備えて構成されている。
【０００４】
次に図３０（ｂ）（ｃ）を用いて従来の携帯情報機器の入力方法を説明する。
図３０（ｂ）は従来の携帯情報機器の使用例図である。
図３０（ｂ）は両手で携帯電話にデータ入力を行う方法を説明している。左手で表示部２を把持し、右手親指で第一の把持手段部４上に配置された操作キー５を押下しデータを入力する。しかしながらこのデータ入力方法は利き手ではない方の手で携帯電話を支持する必要があり、利き手はキー入力を行っているので両手をふさがれてしまうという問題があった。図３０（ｃ）は片手で携帯電話の把持とデータ入力を行う方法を説明している。右手で第一の把持手段４を把持すると同時に右手親指で操作キー５を押下しデータを入力する。しかしながらこのデータ入力方法は親指の根元付近に親指移動範囲外部分２１２があり押下しにくく、親指に負担を掛けるので容易なキー入力を妨げるという問題があった。また、入力に使用する親指はキーを押下する働きと携帯電話を他の四指と協力してはさんで固定する働きを併せ持っているので、押下するキーを変更するために親指を携帯電話から離すと携帯電話を把持できなくなるという問題があった。その結果、データ入力中に携帯電話を取り落としてしまう場合があった。
【０００５】
また、従来の携帯電話ではキーボード部が把持部分とデータ入力部分の二つの機能を分かちがたく併せ持っており、把持部分に対して操作キーの移動ができなかった。このため入力形態や使用者の好みに合わせて操作キーと把持部分の距離を変更することができなかった。
【０００６】
また、隣接したキーを誤って押下することがないように大きなキー間隔を得るためには大きなキーボード面積を必要としたが、大きなキーボード面積は収納性、持ち運びやすさを阻害する要因となる。つまり大きなキー間隔と持ち運びやすいコンパクトなキーボード面積を両立させることができなかった。
【０００７】
また、携帯電話のキーボードのうちキーを押下しやすい部分は、携帯電話を把持したとき親指の真下に位置する押下容易部分２０２である。この部分はキーボードの上部１／３から上端までの領域に相当する。従来この領域には電話の発呼動作を容易にするためアドレス帳の操作をする十字キーや各種ファンクションキーが配置されている。しかしながら、キーボードの上部１／３から上端までの領域には十字キーと文字数字キーを全て配置するだけの面積がないため、この領域に十字キーや各種ファンクションキーを配置すると文字数字キーを押下しにくい残りの領域に配置しなければならない。すなわち、十字キーや各種ファンクションキーによる電話の発呼動作は容易になるが文字数字キーの押下による文字データ入力が難しくなるという問題があった。
【０００８】
また、入力しやすいキー配列を備えたキー入力装置としてはキー入力装置のキーボードの文字表示を操作者に合わせて変更する方法がある（例えば、特許文献１参照）。しかしながらこの方法ではキーボードの文字表示を操作者に合わせて変更する事はできるがキーの位置は変更できないため入力形態や使用者の好みに合わせて操作キーと把持部分の距離を変更することができないという問題があった。
【０００９】
また、キーボードのキーの位置を使用者に応じて自動的に設定することが出来るものもある（例えば、特許文献２参照）。しかしながらこの方法ではキーボードが液晶ディスプレイとタッチパネルの組み合わせによるキーボードに限定されており、従来の携帯情報機器と同じ金属またはブラスチック部材を用いたキーパットよりコストが高くなると言う問題があった。また液晶とタッチパネルを用いたキーボードを用いると金属やプラスチック部材を用いたばねなどの弾性体で構成したキーに比べ、キーを押下したときの指先の操作感が小さいという問題があった。その結果、キー操作を誤る場合があった。
【００１０】
【特許文献１】
特開２００１−２９６９５８号広報
【特許文献２】
特開２０００−１６３２０５号広報
【００１１】
【発明が解決しようとする課題】
上記問題を鑑み、本発明は携帯電話機等の携帯情報機器において両手を使うことなく片手のみを用いる、データ入力中に携帯情報機器を取り落とすことのない、入力に使用する指の可動範囲外にキーが存在しない入力しやすいキー配置を備える、入力形態や使用者の好みに合わせて操作キーと把持部分の距離を変更することができる、大きなキー間隔と持ち運びやすいコンパクトなキーボード面積を両立させることができる、電話の発呼動作と文字入力のしやすさを両立できる、適切なキー操作感のある、データ入力装置を提供することを目的とする。
【００１２】
【課題を解決するための手段】
上記課題を解決するために、本発明は、電気接点の開閉によって入力を検知する文字数字キーやファンクションキーを含む操作キーの入力で数字や文字を含むデータ入力を行う携帯電話、携帯情報機器等のデータ入力装置において、筐体を把持するための第一の把持手段と、前記第一の把持手段の表面を保って移動可能な操作キー部材を備えた。
【００１３】
本発明は前記データ入力装置において、文字数字キーがファンクションキーより把持手段上部に位置する文字入力モードと、ファンクションキーが文字数字キーより把持手段上部に位置する電話発信モードの、両方に遷移自在であるように構成した。
【００１４】
本発明は、前記データ入力装置において、第一の把持手段の任意の位置に設置した使用者が手に持ったときの第一の把持手段正面に垂直な第一の軸を中心とする同心円上を回動自在な第一のヒンジ軸部を備え、移動可能な操作キー部材が、操作キーを備えるとともに前記第一のヒンジ軸部によって第一の把持手段に連結され第一の把持手段の表面上を保って回動自在であるように構成した。
【００１５】
本発明は、前記データ入力装置において、第一の把持手段の任意の位置に設置した使用者が手に持ったときの第一の把持手段正面に垂直な軸を中心とする同心円上を回動自在な第一のヒンジ軸部と、操作キー部材の移動する軌道下の第一の把持手段上に設置された電気接点、を備え、移動可能な操作キー部材が、電気接点を備えた操作キートップを備えるとともに前記第一のヒンジ軸部によって第一の把持手段に連結され第一の把持手段の表面上を保って回動自在であるように構成した。
【００１６】
本発明は、前記データ入力装置において、第一の把持手段の任意の位置に設置した使用者が手に持ったときの第一の把持手段正面に垂直な軸を中心とする同心円上を回動自在な第一のヒンジ軸部と、操作キー部材の移動する軌道下の第一の把持手段上に設置されたキースイッチ、を備え、移動可能な操作キー部材が、操作キートップを備えるとともに前記第一のヒンジ軸部によって第一の把持手段に連結され第一の把持手段の表面上を保って回動自在であるように構成した。
【００１７】
本発明は、前記データ入力装置において、数字と文字を上下逆に表示したキートップを備えた。
【００１８】
本発明は、前記データ入力装置において、第一の把持手段の任意の位置に設置した第一のガイドレールをそなえ、移動可能な操作キー部材が、第一の操作キーを備えるとともに前記第一のガイドレールに沿って筐体表面を保って摺動自在であるように構成した。
【００１９】
本発明は、前記データ入力装置において第一の把持手段表面に第二の操作キー群を備え、第一の把持手段に設置した第一のガイドレールが第一の把持手段上下方向に設けられており、操作キー部材が、第一の把持手段に取り付けられた第二の操作キーのうち上部を覆って下部を露出する第一の状態と、第二の操作キーのうち下部を覆って上部を露出する第二の状態と、を相互に遷移可能であるように構成した。
【００２０】
本発明は、前記データ入力装置において、第一の把持手段表面に第二の操作キー群を備え、第一のヒンジ軸部が、移動可能な操作キー部材の上端までの距離と下端までの距離が異なる位置に接続されており、移動可能な操作キー部材が、第一の把持手段に取り付けられた第二の操作キーのうち上部を覆って下部を露出する第一の状態と、第二の操作キーのうち下部を覆って上部を露出する第二の状態と、を相互に遷移可能であるように構成した。
【００２１】
本発明は、前記データ入力装置において、操作キー部材の動きを拘束又は解放するロック機構と、操作キー部材を第一の把持手段表面上の上部方向または前記操作キー部材を第一の把持手段表面上の下部方向に付勢する付勢手段と、前記ロック機構の拘束または開放を指示する指示手段、を備えた。
【００２２】
本発明は、前記データ入力装置において、筐体を把持するための第一の把持手段と、前記第一の把持手段の任意の位置に設置した第一の把持手段上下方向に垂直な第二の軸を中心とする同心円上を回動自在な第二のヒンジ軸部と、前記第二のヒンジ軸部によって第一の把持手段に対して開閉可能に取り付けられた操作キー部材と、前記開閉可能に取り付けられた操作キー部材の表面に配置された第一の操作キーと、前記開閉可能に取り付けられた操作キー部材によって覆われる第一の把持手段上の領域に設けられた第二の操作キーと、前記開閉可能に取り付けられた操作キー部材の裏面に前記開閉可能に取り付けられた操作キー部材が開いたときに正位置なるように配置された第三の操作キーと、を備えた。
【００２３】
本発明は、前記データ入力装置において、操作キー部材の動きを拘束又は解放するロック機構と、操作キー部材を開く方向または閉じる方向に回動付勢する付勢手段と、前記ロック機構の拘束または開放を指示する指示手段、を備えた。
【００２４】
本発明は、前記データ入力装置において、筐体を把持するための第一の把持手段と、前記第一の把持手段の上に設置されて前記第一の把持手段の外縁を超えて延出可能なアームと、前記アームに取り付けられた操作キーと、を備えた。
【００２５】
本発明は、前記データ入力装置において、第一の把持手段の任意の位置に設置した第一のガイドレールを備え、第一の把持手段の外縁を超えて延出可能なアームを前記第一のガイドレールに沿って筐体表面を保って摺動自在な摺動部材、によって構成した。
【００２６】
本発明は、前記データ入力装置において、第一の把持手段の任意の位置に設置した使用者が手に持ったときの第一の把持手段正面に垂直な軸を中心とする同心円上を回動自在な第一のヒンジ軸部を備え、第一の把持手段の外縁を超えて延出可能なアームを、前記第一のヒンジ軸部によって第一の把持手段に連結され第一の把持手段の表面上を保って回動自在であり、前記第一のヒンジ軸部と第一の把持手段の外縁までの距離より長手方向が長く構成した回動部材、によって構成した。
【００２７】
本発明は、前記データ入力装置において、少なくとも二つのアームと、前記各々のアームと前記第一の把持手段を接続する少なくとも二つの第一のヒンジ軸部と、を備え、前記アームが二つ以上の操作キーからなるキー列で構成されるアームであり、前記第一のヒンジ軸部が、複数の前記アームからなるアーム群が第一の把持手段上に占有する領域の対角線状に設置されているように構成した。
【００２８】
本発明は、前記データ入力装置において各々のアームが駆動力伝達手段で接続され、連動可能であるように構成した。
【００２９】
本発明は、前記データ入力装置において、アームが第一の把持手段から延出した第一の状態とアームが第一の把持手段に収納された第二の状態とを相互に遷移可能であり、アームの動きを拘束又は解放するロック機構と、アームを延出する方向または収納する方向に付勢する付勢手段と、前記ロック機構の拘束または開放を指示する指示手段、を備えた。
【００３０】
本発明は、前記データ入力装置において、筐体を把持するための第一の把持手段と、前記第一の把持手段の表面に取り付けられた操作キーと、前記操作キーによって入力されたデータを表示する表示部と、第一の把持手段と挟持して筐体を固定する第二の把持手段と、を備え、第一の把持手段が第二の把持手段に対して移動可能であるように構成した。
【００３１】
本発明は、前記データ入力装置において、筐体を把持するための第一の把持手段と、前記第一の把持手段の表面に移動可能に設置した操作キー部材と、前記操作キー部材によって入力されたデータを表示する表示部と、第一の把持手段と挟持して筐体を固定する第二の把持手段と、を備え、第一の把持手段が第二の把持手段に対して移動可能であるように構成した。
【００３２】
本発明は、前記データ入力装置において、第一の把持手段が前記第二の把持手段と当接した第一の状態と前記第一の把持手段が任意の位置に移動した第二の状態に相互に遷移可能であり、さらに第一の把持手段の動きを拘束又は解放するロック機構と、第一の把持手段を前記第二の把持手段に当接する方向または離れる方向に付勢する付勢手段と、前記ロック機構の拘束または開放を指示する指示手段、を備えた。
【００３３】
本発明は、前記データ入力装置において、第一の把持手段の移動に連動して操作キー部材を移動させる駆動力伝達手段を備えた。
【００３４】
本発明は、前記データ入力装置において、表示部と第二の把持手段からなる本体の任意の位置に設置した使用者が手に持ったときの第一の把持手段正面に垂直な軸を中心とする同心円上を回動自在な第三のヒンジ軸部を備えて、前記第三のヒンジ軸部によって筐体の表面を保って第一の把持手段が回動できるように構成した。
【００３５】
本発明は、前記データ入力装置において、表示部と第二の把持手段からなる本体の任意の位置に設置した第二のガイドレールを備えて、前記第二のガイドレールに沿って筐体の表面を保って第一の把持手段が摺動できるように構成した。
【００３６】
本発明は、前記データ入力装置において、第一の把持手段と第二の把持手段と、さらに前記第一の把持手段の任意の位置に設置した使用者が手に持ったときの第一の把持手段正面に垂直な第一の軸を中心とする同心円上を回動自在な第一のヒンジ軸部をそなえ、前記第一の把持手段の表面に移動可能に設置した操作キー部材が、前記第一のヒンジ軸部によって第一の把持手段に連結され第一の把持手段の表面上を保って回動可能であるように構成した。
【００３７】
本発明は、前記データ入力装置において、第一の把持手段と第二の把持手段と、さらに前記第一の把持手段の任意の位置に設置した第一のガイドレールをそなえ、前記第一の把持手段の表面に移動可能に設置した操作キー部材が、前記第一のガイドレールに沿って滑動移動可能であるように構成した。
【００３８】
本発明は、前記データ入力装置において、駆動力伝達手段を、移動可能に設置した操作キー部材に取り付けられる第一のラッチと、前記ラッチに噛合するアイドルギヤと、前記アイドルギアに噛合して表示部と第二の把持手段からなる本体に固定された第二のラッチで構成した。
【００３９】
また、本発明は、前記データ入力装置において、駆動力伝達手段を、操作キー部材と、表示部および第二の把持手段からなる本体を連結する連結部材で構成した。
【００４０】
なお、本発明を利用できる形態としてはたとえば携帯電話、携帯情報端末などの携帯情報機器がある。
【００４１】
【発明の実施の形態】
以下、図面に示す具体的な実施例を用いて本発明に係るデータ入力装置について説明する。以下の説明において操作キーとは文字数字キーとファンクションキーを指す。以下の実施例では本発明を携帯電話に適用した例を挙げて説明する。なお、同様の部分には同一の符号を付す。
【００４２】
まず図２を用いて本発明を適用した携帯電話の構成を説明する。図２は本発明を適用した携帯電話のブロック図である。本発明は図２のブロック図において入力部３０に関する発明である。本発明を適用した携帯電話は入力部３０、入力信号処理回路３１、制御部３２、メモリ３５、表示駆動部３７、表示部３８、無線電話ユニット３４、撮影ユニット３３、電源部３６から構成される。電源部３６は携帯電話への電源供給を管理する。携帯電話を使用するときは電力を供給し、使用しないときは電源を切断する。無線電話ユニット３４は電話の発信、受信を行うユニットである。無線電話ユニット３４はまた電子メール等の送受信を行う場合は音声以外の電子データの送受信も行う。撮影ユニット３３は動画、または静止画を撮影するユニットである。ＣＣＤ等の撮像素子と撮像素子の制御回路からなる。撮影ユニット３３で撮影された画像はメモリ３５に記憶したり、無線電話ユニット３４で送信したりできる。メモリ３５は携帯電話の操作を行うのに必要なデータを記憶する。携帯電話の動作を制御するプログラム、電話帳データなどを記憶している。メモリ３５はまた制御部３２のワーク領域としても使用される。表示部３８は携帯電話の操作に必要な情報を表示する部分である。受信した電子メールを表示したり、入力した文字や数字を表示する。表示部３８は液晶パネルなどで構成される。表示部３８を構成する液晶パネルは表示駆動部３７によって駆動される。制御部３２は入力部３０、入力信号処理回路３１、メモリ３５、表示駆動部３７、表示部３８、無線電話ユニット３４、電源部３６を制御して携帯電話全体の動作を制御する部分である。入力部３０に入力されたデータを表示部３８に表示する、無線電話ユニット３４から受信したデータを表示部３８に表示する、入力部３０から電源の切断信号の入力があった場合は電源部３６に切断処理を指示するなど、携帯電話全体の動作を制御する。入力部３０はデータ入力を行う部分である。代表的な入力部としては操作キー、タッチパネルなどがある。入力部３０によって入力された信号は入力信号処理回路３１でデコードされ制御部３２に送られる。本発明は入力部３０を構成する要素のひとつである操作キーに位置を変更する機構を追加し、筐体の把持を助ける把持手段を追加する。
【００４３】
（第一の実施の形態）
図３、図４、図５、図６、図７を用いて本発明にかかわるデータ入力装置の第一の実施形態を説明する。
第一の実施形態は主に請求項１から請求項６に対応する。
まず図３を用いて第一の実施例の概略を説明する。図３（ａ）は本発明を適用した携帯電話の使用例である。本発明を適用した携帯電話は表示部２、操作キー部材３、操作キー５、第一の把持手段４から構成される。ここで操作キーとはファンクションキーと文字数字キーを含む。操作キー部材３は第一の把持手段４の表面を保って回動可能に構成されている。携帯電話を手で把持したとき最も入力しやすい操作キー位置は第一の把持手段４を把持したときに親指２０１の直下に配置された押下容易部分２０２の位置である。第一の実施例は従来同一の部材で構成されていた操作キー部材３と第一の把持手段４を別部品としてヒンジで接続し、操作キー部材３を回動移動可能に構成する。この構成により操作キーのうちファンクションキーを多用する電話発信モードのときはファンクションキーを操作しやすい位置（押下容易部分２０２）に移動でき、操作キーのうち文字数字キーを多用する文字入力モードのときは文字数字キーを操作しやすい位置（押下容易部分２０２）に移動することができる。図３（ａ）は文字数字キーを操作しやすい位置（押下容易部分２０２）に配置した文字入力モードを説明している。
【００４４】
図３（ｂ）は操作キー部材３を左９０度に回転させた状態を示す図である。図３（ｂ）の状態からさらに左９０度回転させると操作キー部材３は図３（ａ）の状態から上下逆転した位置、すなわちファンクションキーが文字数字キーの上部に位置する電話発信モードに移動する。図３（ｃ）は図３（ｂ）を把持手段右方向２０６から見た図である。第一の把持手段４と操作キー部材３は第一のヒンジ軸部１９で接続されており、操作キー部材３は第一の把持手段４上を回動できる。
【００４５】
続いて図４を用いて操作キー部材３を第一の把持手段４へ回動可能に取り付ける構成を説明する。　図４（ａ）は請求項３に記載の発明に係るデータ入力装置の操作キー部材３と第一の把持手段４の拡大図である。
第一の把持手段４は表示部２と接続されている。操作キー部材３は第一の把持手段４と回動可能に接続されている。操作キー部材３には操作キー５が取り付けられている。操作キー５には文字数字キー６とファンクションキー７がある。図４（ａ）では文字数字キー６が操作キー部材３下部に、ファンクションキー７が操作キー部材３上部に配置されている。第一の把持手段４の中央には第一のヒンジ軸部１９が設けられている。第一のヒンジ軸部１９は使用者が手に持ったときの第一の把持手段正面に垂直な軸を中心とする同心円上を回動自在であるように構成する。図４（ａ）では第一の把持手段正面方向２１１と平行にヒンジ軸を設ける。操作キー部材３は第一のヒンジ軸部１９に回動自在に接続されており、第一のヒンジ軸部１９を中心に操作キー部材３が自由に回動できる。操作キー５にはそれぞれキースイッチ１５０が設けられている。操作キー５が押下されるとキースイッチ１５０が電気的に導通する。キースイッチ１５０に接続された導電線１５１は操作キー部材３の電気接点Ａ１５２に接続されている。電気接点Ａ１５２は導電性の板ばねで構成し第一の把持手段４に対して押し付け力が生じるようにする。文字数字キー６がファンクションキー７より下方向にある場合（電話発信モード）は電気接点Ａ１５２は第一の把持手段４の電気接点Ｂ１５３に接続される。操作キー部材３が第一のヒンジ軸部１９を中心として回転し、文字数字キー６がファンクションキー７より上方向に移動した場合（文字入力モード）は電気接点Ａ１５２は第一の把持手段４の電気接点Ｃ１５４に接続される。ここで図では簡略化のため導電線を二本のみ書いているが実際には操作キー部材上に存在する電気接点の二倍と同じ数だけ必要である。電気接点Ｂ１５３、電気接点Ｃ１５４に入力された電気信号は外部の信号処理回路に送られる。
【００４６】
図４（ｂ）は第一のヒンジ軸部１９の拡大図である。ヒンジ軸５０は第一の把持手段４の中央に取り付けられている。ヒンジ軸５０の第一の把持手段４との接続端と反対側にはとめ具５１が接続されている。止め具押さえ５２は止め具５１を挟んで操作キー部材３と接続されており操作キー部材３はとめ具５１および軸５０、第一の把持手段４に対して自由に回動できる。
図４（ｃ）は第一のヒンジ軸部１９の拡大側面図である。操作キー部材３にはくぼみＡ５４が設けてありとめ具５１が適切な遊びをもって嵌るように構成する。
【００４７】
続いて図５で操作キーの構成を説明する。
図５（ａ）は操作キー部材３上に設けられた操作キー５の正面図である。操作キー５は操作キートップ８、キースイッチ１５０、導電線１５１からなる。操作キートップ８には凸部材Ａ５５が設けてある。キースイッチ１５０は電気接点Ｇ１６０と電気接点Ｈ１６２からなり、電気接点Ｇ１６０と電気接点Ｈ１６２が接触することによって電気信号を入力する。電気接点Ｇ１６０と電気接点Ｈ１６２には導電線１５１が接続されている。導電線１５１は操作キー部材３上の電気接点Ａ１５２に接続されている。
図５（ｂ）は図４（ａ）における操作キー部材横断面Ａ２２２で切断した操作キー部材３の断面図である。操作キートップ８の下にはキースイッチ１５０を構成する電気接点Ｇ１６０と電気接点Ｈ１６２を設置する。操作キー部材３にはくぼみＢ５６が設けてあり凸部材Ａ５５が適切な遊びをもって嵌る。凸部材Ａ５５は板ばねＡ５３によって第一の把持手段から離れる方向に押し付け力を得ており、操作キー５（操作キートップ８）が押下されると適切なクリック感が得られるように構成する。板ばねＡ５３の弾力を変更することにより操作キー５のクリック感を調整することができる。電気接点Ｈ１６２は導電性の板ばねで構成し、操作キートップ８が押下されないときは電気接点Ｇ１６０と電気的接触を切断する。操作キートップ８が押下されると操作キートップ８の下面に取り付けられた凸部材Ｂ５８が電気接点Ｈ１６２を電気接点Ｇ１６０方向に押し下げ、電気接点Ｇ１６０と電気接点Ｈ１６２は電気的に接触する。電気接点Ｇ１６０と電気接点Ｈ１６２には導電線１５１が接続されており、導電線１５１は電気接点Ｇ１６０と電気接点Ｈ１６２に入力された電気信号を外部回路に伝達する。操作キー部材３と第一の把持手段４を電気的に接続する方法は上記方法に限らない。たとえば第一のヒンジ軸部１９を中空に構成し中に導電線を通すことによって操作キー５に接続された導電線１５１を第一の把持手段４に接続してもよい。第一のヒンジ軸部１９を中空に構成し中に導電線１５１を通した状態を図５（ｄ）に説明する。図５（ｄ）は操作キー部材横断面Ａ２２２に垂直な面で切断した第一の把持手段４と操作キー部材３の側面断面図である。
【００４８】
図５（ｃ）はキートップの拡大図である。請求項６に記載のキートップの表示を説明している。操作キートップ８は操作キー部材３の回動移動に伴って上下逆転する。操作キートップ８に印刷する文字１０１と数字１０２は上下逆に印刷しておく。電話の発呼動作を行うときは数字１０２が正位置で表示される（図５（ｃ）上）ように印刷し、かなデータを入力するときは文字１０１が正位置で表示される（図５（ｃ）下）ように印刷する。
【００４９】
上記構成によって操作キー部材を第一の把持手段上で回動可能に構成することができる。　ここで操作キー部材上に構成する操作キーはキートップとキースイッチからなる操作キーでなくてもよい。操作キーの構成部材のうち電気接点を備えたキートップのみを操作キー部材上に設置してもよい。すなわち第一の把持手段上の操作キー部材の移動する軌道下には操作キートップの電気接点と接触する電気接点を設置し、操作キートップ上に備えた電気接点と操作キー部材の移動する軌道下の電気接点の組み合わせでキースイッチを構成してもよい。
【００５０】
次に図６、図７を用いて操作キー部材の移動する軌道下の第一の把持手段上に設置された電気接点を備え、電気接点を備えた文字数字キーのキートップ、またはファンクションキーのキートップを備えた操作キー部材を第一の把持手段上で回動可能とする構成を説明する。図６、図７は請求項４に記載の発明を説明している。
図６（ａ）はデータ入力装置の操作キー部材３と第一の把持手段４の拡大図である。操作キー部材３は第一のヒンジ軸部１９によって第一の把持手段４に回動自在に取り付けられている。第一の把持手段４上にはファンクションキー用の電気接点１５５と文字数字キー用の電気接点１５６を設ける。操作キー部材３上には操作キートップ８を押下可能に取り付け、操作キートップ８が押下されると操作キートップ８下に設けられた電気接点と把持手段４上に設けられたファンクションキー用の電気接点１５５または文字数字キー用の電気接点１５６が導通し、電気信号が入力される。
【００５１】
図６（ｂ）は第一の把持手段上４に設置されたキー電気接点の図である。
第一の把持手段４上にはファンクションキー用の電気接点と文字数字キー用の電気接点を設ける。電気接点は第一の把持手段を上下に二分する第一の把持手段横中央線２００に対して上下対象に二組設置する。第一の把持手段４の上部にファンクションキー用電気接点１５５ａと文字数字キー用電気接点１５６ａを設ける。
下部にも同様にファンクションキー用電気接点１５５ｂと文字数字キーの用電気接点１５６ｂを設ける。文字入力モードのときは操作キー部材３（図６（ｃ）に操作キー部材３の図を示す）の文字数字キー上に設けられた電気接点Ｆ１５９（図７（ａ）に電気接点Ｆ１５９を含む操作キーの図を示す）と第一の把持手段４上部に設けられた文字数字キー用電気接点１５６ａが接触し、ファンクションキー上に設けられた電気接点Ｆ１５９と第一の把持手段４下部に設けられたファンクションキー用電気接点１５５ｂが接触することによってデータ入力を行う。電話発信モードのときは図６（ｃ）に示す操作キー部材３の文字数字キー上に設けられた電気接点Ｆ１５９と第一の把持手段４下部に設けられた文字数字キー用電気接点１５６ｂ、ファンクションキー上に設けられた電気接点Ｆ１５９と第一の把持手段４上部に設けられたファンクションキー用電気接点１５５ａが接触することによってデータ入力を行う。文字数字キー用電気接点１５６、ファンクションキー用電気接点１５５に入力された電気信号は外部の信号処理回路に送られる。
第一の把持手段４の中央には図４（ａ）と同様に第一のヒンジ軸部１９を設ける。第一のヒンジ軸部１９によって第一の把持手段４と操作キー部材３を接続することによって操作キー部材３を第一の把持手段４に対して回動可能に構成することができる。操作キー部材３上には電気接点Ａ１５２（図６（ｃ）に電気接点Ａ１５２を配置した操作キー部材３の図を示す。）を設ける。第一の把持手段４上には電話発信モード用の電気接点Ｂ１５３と文字入力モード用の電気接点Ｃ１５４を設ける。操作キー部材３が回動して文字数字キー６がファンクションキー７より下方向にある場合（電話発信モード）、操作キー部材３上の電気接点Ａ１５２と電気接点Ｂ１５３は接触し電気的に接続される。同様に文字数字キー６がファンクションキー７より上方向に移動した場合（文字入力モード）、操作キー部材３上の電気接点Ａ１５２と電気接点Ｃ１５４は接触し電気的に接続される。この構成により電話発信モードでも文字入力モードでも操作キー部材３と第一の把持手段４の電気的接続が失われることがない。電気接点Ｂ１５３、電気接点Ｃ１５４に入力された電気信号は外部の信号処理回路に送られる。ここで操作キー部材３と第一の把持手段４を電気的に接続する方法は図５（ｄ）に示すように第一のヒンジ軸部１９を中空に構成し、中空部分を通る導電線による接続でもよい。
【００５２】
図６（ｃ）は操作キー部材３の正面図である。
操作キー部材３は図４（ａ）と同様に第一のヒンジ軸部１９によって回動可能に第一の把持手段４に取り付けられている。操作キー部材３上には操作キートップ８が配置され、操作キートップ８にはそれぞれ導電線１５１が接続されている。導電線１５１は電気接点Ａ１５２に接続されている。
【００５３】
次に図７（ａ）（ｂ）を用いて操作キートップの構造を説明する。図７（ａ）は操作キートップ８の正面拡大図である。操作キートップ８には凸部材Ａ５５、電気接点Ｆ１５９が設けてある。電気接点Ｆ１５９には導電線１５１が接続されている。
図７（ｂ）は図６（ｃ）における操作キー部材横断面Ｂ２２３で操作キー部材３を切断した断面図である。操作キー部材３にはくぼみＢ５６が設けてあり凸部材Ａ５５が適切な遊びをもって嵌る。凸部材Ａ５５は板ばねＡ５３によって第一の把持手段から離れる方向に押し付け力を得ており、電気接点Ｆ１５９が第一の把持手段上にある電気接点と接触するのを妨げている。電気接点Ｆ１５９には導電線１５１が接続されており、電気接点Ｆ１５９に入力された電気信号を外部回路に伝達する。ここで操作キートップ８が押下されると板ばねＡ５３が圧縮され電気接点Ｆ１５９が第一の把持手段方向に移動し、第一の把持手段上に設けられたファンクションキー用接点１５５または文字数字キー用接点１５６と接触してデータ入力を検知する。
【００５４】
次に図７（ｃ）（ｄ）を用いてキートップを備えた操作キー部材の電話発信モード時と文字入力モード時のキー配置を説明する。図７は操作キー部材３と第一の把持手段４を重ねた状態を操作キー部材３側から見た正面透視図である。図７（ｃ）はファンクションキーが文字数字キーより上部に位置する電話発信モードのキー配置を説明している。
操作キー部材３には操作キートップ８が設けてある。操作キートップ８にはファンクションキートップ１４と文字数字キートップ１３がある。ファンクションキートップ１４が第一の把持手段４上部にあるときにファンクションキートップ１４を押下すると、キートップ上の電気接点Ｆ１５９が第一の把持手段４上部にあるファンクションキー用電気接点１５５ａに接触し電気信号を入力する。ファンクションキートップ１４を含む操作キー部材３は第一の把持手段４の中央の第一のヒンジ軸部１９を中心に回転して第一の把持手段４下部に移動できる。図７（ｄ）にファンクションキートップ１４を含む操作キー部材３が回転して第一の把持手段４下部に移動した状態を示す。ファンクションキートップ１４が第一の把持手段４下部にあるときにファンクションキートップ１４を押下すると、キートップ上の電気接点Ｆ１５９が第一の把持手段４下部にあるファンクションキー用電気接点１５５ｂに接触し電気信号を入力する。
この構成によりファンクションキーが第一の把持手段４上部に位置するときも下部に位置するときもファンクションキートップ１４を操作してデータ入力することが出来る。文字数字キーによるデータ入力もまた同様である。
ここで操作キー部材３に配置する操作キーは必ずしもファンクションキーと文字数字キーをすべて配置する必要はない。たとえば文字数字キーだけ操作キー部材３に配置して文字数字キーの中心に第一のヒンジ軸部１９を構成する。この構成にすれば文字数字キーのみを使用者の好みに合わせて回動させて角度を変更することができる。同様にファンクションキーのみを操作キー部材３に配置してもよいし、操作キーのうち一列だけを抜き出して操作キー部材３に配置してもよい。
【００５５】
（第二の実施の形態）
図８、図９、図１０、図１１、図１２を用いて本発明にかかわるデータ入力装置の第二の実施形態を説明する。
第二の実施形態は主に請求項１から請求項２、と請求項７から請求項１０に対応する。
まず図８を用いて第二の実施例の概略を説明する。図８（ａ）は本発明を適用した表示部と把持部分一体型の携帯電話の斜視図である。第二の実施例は第一の把持手段４の上に第一の把持手段上下方向に移動可能な操作キー部材３を構成する。操作キー部材３には第一の操作キー１１を設ける。操作キー部材３を移動することによってデータの入力モードに適した操作キーが押下容易部分２０２に位置するように操作キーを入れ替える。操作キーの例としてはファンクションキーや文字数字キーがあるが図８に示す例は第一の操作キー１１に文字数字キーを配置して文字数字キーを移動可能にした例である。文字数字キーを多用する文字入力モードのときは第一の操作キー１１を第一の把持手段４上で上部に移動させて押下容易部分２０２に移動させる。電話発信モードを説明する図を図８（ｂ）に示す。電話発信モードのときは第一の操作キー１１を下部に移動させる。第一の操作キー１１を上部または下部に移動させると操作キー部材３に覆われていた第二の操作キー１２（図８の場合はファンクションキー）が操作キー部材３に覆われていない部分に露出する。ここで第一の操作キー１１は文字数字キーからなる操作キー群でもよいし、ファンクションキーからなる操作キー群でもよい。
【００５６】
次に図９を用いて本発明の第二の実施形態の構成を説明する。
図９（ａ）は本発明を適用した携帯電話の分解斜視図である。図９は請求項７、請求項８に記載の発明を説明している。第一の把持手段４には第一の把持手段上下方向に第一のガイドレール１６と第二の操作キー１２、電気接点Ｍ１６８、スライドスイッチ１６１が設けてある。第二の操作キー１２は第一の把持手段４の上に二組設けてある。操作キー部材３には凸部材Ｃ５９が設けてあり凸部材Ｃ５９は第一の把持手段４上の第一のガイドレール１６に適度な遊びを持って嵌る。
凸部材Ｃ５９と第一のガイドレール１６の接続は図９（ｂ）に示す。操作キー部材３の表面には第一の操作キー１１が設けてある。操作キー部材３は第一の把持手段４より小さく構成して操作キー部材３が第一の把持手段４の全面を覆うことなく一部を露出できるようにする。ここで操作キー部材３は第一のガイドレール１６に沿って第一の把持手段上下方向に摺動可能なので操作キー部材３を移動させることによってデータの入力モードに応じて押下容易部分２０２にある操作キーを入れ替えることができる。すなわち第一の把持手段４より上下方向に短い操作キー部材３を用いれば操作キー部材３を移動させることによって第二の操作キー上部２１８を覆って下部を露出する第一の状態と、第二の操作キー下部２１９を覆って上部を露出する第二の状態を選択することができる。図９（ａ）の例では操作キー部材３が第一のガイドレール１６に沿って上部方向に移動すると第二の操作キー１２のうち上部にある操作キーは覆われ、下部にある操作キーは露出する。操作キー部材３が下部方向に移動すると第二の操作キー１２のうち下部にある操作キーは覆われ、上部にある操作キーは露出する。操作キー部材３と第一の把持手段４は導電線１５１で接続されており操作キー部材上にある第一の操作キー１１へのデータ入力は導電線１５１によって第一の把持手段４に伝えられる。第一の把持手段４に伝えられたデータ入力は外部の処理回路で処理される。
【００５７】
図９（ｂ）は第一の把持手段４と操作キー部材３を第一の把持手段左右方向断面２１４にて切断した断面図である。
第一の把持手段４には第一のガイドレール１６が設けてあり、操作キー部材３に設けてある凸部材Ｃ５９が適切な遊びをもって嵌る。操作キー部材３には開口部Ｂ９９が設けてある。操作キー部材３と第一の把持手段４は導電線１５１で電気的に接続されている。導電線１５１は操作キー部材３の開口部Ｂ９９を抜けて開口部Ａ６７から第一の把持手段４に入る。第一のガイドレール１６と操作キー部材３の凸部材Ｃ５９の接触面には付勢手段部分２０３が構成されている。操作キー部材３は付勢手段によって付勢され、ガイドレール１６に沿って摺動する。
【００５８】
図９（ｃ）は付勢手段部分２０３の拡大断面図である。第一のガイドレール１６には操作キー部材３の凸部材Ｃ５９が嵌っている。凸部材Ｃ５９には連結部材Ａ６１が接続されている。付勢手段の構成については図１１を用いて説明する。
【００５９】
続いて図１０（ａ）（ｂ）を用いて操作キー部材３と第一の把持手段４の電気的接続を説明する。
図１０（ａ）（ｂ）は操作キー部材３と第一の把持手段４の部分拡大正面透視図である。
図１０（ａ）（ｂ）は第一の把持手段４と操作キー部材３を接続する導電線１５１の処理について説明している。第一の把持手段４には第二の操作キー１２の上下方向中央に操作キー部材３の位置によらず常に操作キー部材３に覆われる共通カバー領域２２８を設ける。共通カバー領域２２８は第一の把持手段４には操作キー部材３が第二の操作キーのうち上部を覆って下部を露出した第一の状態であっても、第二の操作キーのうち下部を覆って上部を露出した第二の状態であっても、常に操作キー部材３によって覆われている領域である。第一の把持手段４上の共通カバー領域に開口部Ａ６７を設ける。これにより操作キー部材３の移動に伴って開口部Ａ６７が露出してしまうことがない。導電線１５１は操作キー部材３の開口部Ｂ９９を抜けて開口部Ａ６７から第一の把持手段４に入る。開口部Ｂ９９と開口部Ａ６７の距離は操作キー部材３の移動に伴って変化するが、導電線１５１は開口部Ｂ９９と開口部Ａ６７の最大距離よりも長く構成する。操作キー部材３の移動に伴って開口部Ｂ９９と開口部Ａ６７の距離が最大になった状態を図１０（ａ）に示す。操作キー部材３の第一の把持手段４との対向面に留め具Ｃ１００を設ける。留め具Ｃ１００は導電線１５１がたるんで操作キー部材３の外側にはみ出すことを防ぐ機能を持っている。操作キー部材３が移動して開口部Ｂ９９と第一の把持手段４上の開口部Ａ６７が最も接近したとき導電線１５１のたるみは最も大きくなる。操作キー部材３の移動に伴って開口部Ｂ９９と開口部Ａ６７が最も接近した状態を図１０（ｂ）に示す。このとき導電線１５１と、導電線１５１がはみ出しうる距離にある操作キー部材３の外縁の間に留め具Ｃ１００を設けることによって導電線１５１が操作キー部材３の外にはみ出すことを防ぐことができる。
【００６０】
続いて図１０（ｃ）と図１１を用いて操作キー部材３を付勢する付勢手段と操作キー部材３の動きを拘束または開放するロック機構を説明する。
図１０（ｃ）、図１１は請求項１０に記載の発明を説明している。
図１０（ｃ）は操作キー部材３を第一の操作キー１１設置表面の裏側から見た斜視図である。操作キー部材３の裏面には止め具６４が設置されておりとめ具６４は第一の把持手段４に設置されたロック金具６３によってロックされている。操作キー部材３には同様に連結部材Ａ６１が備えてあり連結部材Ａ６１と操作キー部材３は第一の把持手段４上に設けた支軸Ａ６０に沿って摺動自在に取り付けられている。
図１１（ａ）は操作キー部材３の正面透視図である。図１１（ｂ）は操作キー部材３の側面断面図である。図１１（ｂ）は図９（ａ）（ｂ）の付勢手段断面２０４を把持手段右方向２０６から見た図である。図１１（ｂ）は操作キー部材３が第一の把持手段４下部にあり、ロック金具６３によって固定されている状態を説明している。操作キー部材３は連結部材Ａ６１によって支軸Ａ６０に摺動自在に取り付けられている。操作キー部材３は支軸Ａ６０に沿って第一の把持手段４の上下方向に摺動することができる。支軸Ａ６０は第一の把持手段４に取り付けられておりばねＡ６２が巻きつけてある。ばねＡ６２は付勢手段の一例である。ばねＡ６２は操作キー部材３が第一の把持手段４下部にある時に第一の把持手段４と連結部材Ａ６１の間に、第一の把持手段４上方向２０７の反発力が生じるように設置されている。操作キー部材３をばねＡ６２の反発力に逆らって第一の把持手段下方向に押し付けるととめ具６４がロック金具６３にロックされる。ロック機構の拘束または開放を指示する指示手段としてはたとえばスライドスイッチがある。ロック金具６３はスライドスイッチ１６１を操作することによってとめ具６４のロックを解除する。スライドスイッチ１６１を第一の把持手段右方向２０６にスライドさせると連結部材Ａ６１および操作キー部材３はばねＡ６２の反発力によって第一の把持手段４上方向２０７に向かって移動する。スライドスイッチ１６１の操作によってとめ具６４が開放された後はばねＢ６５によってスライドスイッチ１６１は押し戻され、再びとめ具６４をロックできる位置にセットされる。図１１（ｃ）（ｄ）に操作キー部材３が第一の把持手段上方向２０７に移動した状態を図示する。操作キー部材３を第一の把持手段４表面上の下部方向に付勢する場合は、ばねＡ６２を操作キー部材３が第一の把持手段４上部にある時に第一の把持手段４と連結部材Ａ６１の間に、第一の把持手段４下方向の反発力が生じるように設置する。ロック金具６３は操作キー部材３が第一の把持手段４上部にあるときにロックがかかる位置に設置する。
【００６１】
ここで第二の実施形態において操作キー部材３と第一の把持手段４の接続はガイドレールによるものでなくてもよい。すなわち操作キー部材３と第一の把持手段４を第一のヒンジ軸部１９によって接続し、第一のヒンジ軸部１９を中心に操作キー部材３を回動させることによって第二の操作キー１２のうち上部を覆って下部を露出する第一の状態と、第二の操作キー１２のうち下部を覆って上部を露出する第二の状態とを相互に遷移可能であるように構成してもよい。
【００６２】
続いて図１２を用いて操作キー部材３と第一の把持手段４を第一のヒンジ軸部１９によって接続する構成を説明する。図１２は主に請求項９に対応する。
図１２（ａ）は本発明を適用した表示部と把持部分一体型の携帯電話の分解斜視図である。図１２（ａ）は図９（ａ）における構成において第一把持手段４上に第一のヒンジ軸部１９を設け、第一のヒンジ軸部１９で第一の操作キー１１を備えた操作キー部材３と第一の把持手段４を接続する構成を説明している。第一のヒンジ軸部１９を用いて操作キー部材３と第一の把持手段４を接続する方法は図４（ａ）に示す接続を使用する。操作キー部材３と第一の把持手段４を電気的に接続する方法は図５（ｄ）に示す構成を使用する。
図１２（ｂ）は操作キー部材３の拡大正面図である。操作キー部材３には第一の操作キー１１が押下可能に取り付けられている。操作キー部材３は第一のヒンジ軸部１９によって第一の把持手段４と接続されている。ここで第一のヒンジ軸部１９と操作キー部材３の接続は、第一のヒンジ軸部１９と操作キー部材３の接続位置から操作キー部材３の上端までの距離２１６と、第一のヒンジ軸部１９と操作キー部材３の接続位置から操作キー部材３の下端までの距離２１７が異なる位置で接続する。ここで操作キー部材３の大きさは第一の把持手段４上で第二の操作キー１２が占める面積より小さく構成して操作キー部材３が第二の操作キー１２全面を覆うことなく一部を露出できるようにする。さらに操作キー部材３に設置する第一の操作キー１１は必ずしも文字数字キーとファンクションキーの両方を設置する必要はない。図１２に記載の例では文字数字キーのみ操作キー部材３の上に構成し、ファンクションキーは第二の操作キー１２として第一の把持手段上に構成している。この構成にすることによって文字数字キーを設けた操作キー部材３が上部に移動すると第二の操作キー下部２１９に設置したファンクションキーを露出することができる。
図１２（ｃ）、図１２（ｄ）は本発明を適用した表示部と把持部分一体型の携帯電話の正面図である。第一のヒンジ軸部１９と操作キー部材３を、第一のヒンジ軸部１９と操作キー部材３の接続位置から操作キー部材３の上端までの距離２１６と、第一のヒンジ軸部１９と操作キー部材３の接続位置から操作キー部材３の下端までの距離２１７が異なる位置で接続することによって、操作キー部材３が露出する、または覆う第二の操作キー１２の面積を第二の操作キー上部２１８と第二の操作キー下部２１９で異ならせることができる。図１２（ｃ）は操作キー部材３を回動させて第一のヒンジ軸部１９から操作キー部材３の上端までの距離より第一のヒンジ軸部１９から操作キー部材３の下端までの距離が長い位置に操作キー部材３を移動させて、操作キー部材３が第二の操作キー下部２１９を覆って第二の操作キー上部２１８を露出した状態を説明している。図１２（ｄ）は操作キー部材３を回動させて第一のヒンジ軸部１９から操作キー部材３の下端までの距離より第一のヒンジ軸部１９から操作キー部材３の上端までの距離が長い位置に操作キー部材３を移動させて、操作キー部材３が第二の操作キー上部２１８を覆って第二の操作キー下部２１９を露出した状態を説明している。
【００６３】
（第三の実施の形態）
図１３、図１４を用いて本発明にかかわるデータ入力装置の第三の実施形態を説明する。
第三の実施形態は主に請求項１から請求項２、と請求項１１から請求項１２に対応する。
まず図１３（ａ）（ｂ）を用いて第三の実施例の概略を説明する。図１３は請求項１１を説明している。図１３（ａ）は本発明を適用した携帯電話の斜視図である。ファンクションキーを多用する電話発信モード時の形態を説明している。第一の把持手段４には第一の把持手段上下方向に垂直な軸を中心とする同心円上を回動自在な第二のヒンジ軸部２０を設ける。第二のヒンジ軸部２０には操作キー部材３を第一の把持手段４に対して開閉可能に取り付ける。操作キー部材３の外表面には第一の操作キー１１を設ける。図１３（ｂ）は操作キー部材３を第二のヒンジ軸部２０を中心に開いて第一の把持手段４の上部に移動させた図である。操作キー部材３の第一の操作キー１１と反対側の内表面には第三の操作キー１７が設けてある。第三の操作キー１７は操作キー部材３が開いたときに正位置なるようにキートップの文字を印刷する。第一の把持手段４上には第二の操作キー１２が設けてある。操作キー部材３が開くと第二の操作キー１２と第三の操作キー１７が表面に露出する。図１３（ｂ）の図では第二の操作キー１２にファンクションキーを配置し、第三の操作キー１７に文字数字キーを配置している。図１３（ａ）（ｂ）に示す構成にすることによってファンクションキーを多用する電話発信モード時は押下しやすい位置にあるファンクションキーを使用でき、文字数字キーを多用する文字入力モード時は文字数字キーを第一の把持手段上部に移動できる。
【００６４】
続いて図１３（ｃ）を用いて第二のヒンジ軸部２０の構成を説明する。
図１３（ｃ）は第二のヒンジ軸部２０を第一の把持手段上方向２０７から見た拡大図である。第一の把持手段４には円筒Ｂ６９を設ける。操作キー部材３には円筒Ａ６８を設ける。円筒Ａ６８と円筒Ｂ６９は中空に作成し、円筒Ａ６８が適度な遊びをもって円筒Ｂ６９に回動自在に嵌合する。円筒Ａ６８と操作キー部材３の接触面には開口部Ｂ９９を設け、円筒Ｂ６９と第一の把持手段４の接触面には開口部Ａ６７を設け、導電線１５１が開口部Ａ６７と開口部Ｂ９９を通って第一の把持手段４と操作キー部材３を電気的に接続できるように構成する。
【００６５】
続いて図１３（ｄ）を用いて操作キー部材３と第一の把持手段４の電気的接続方法を説明する。
図１３（ｄ）は第二のヒンジ軸部２０の正面図である。操作キー部材３には外表面に第一の操作キー１１を備え、内表面に第三の操作キー１７を備える。第一の操作キー１１と第三の操作キー１７には導電線１５１が接続されている。導電線１５１は操作キー部材３の開口部Ｂ９９を通って中空に構成された円筒Ａ６８に入る。導電線１５１は円筒Ａ６８の内部を通って円筒Ｂ６９に入り、円筒Ｂ６９の開口部Ｂ９９を通して第一の把持手段４と接続される。この構成によって操作キー部材３を回動可能にすると同時に操作キーと第一の把持手段の電気的接続を実現することができる。
【００６６】
続いて図１４を用いて操作キー部材を回動付勢する付勢手段と、操作キー部材の動きを拘束又は解放するロック機構を説明する。
図１４は操作キー部材３と第一の把持手段４の側面図である。図１４は請求項１２に記載の発明を説明している。
第一の把持手段４には第二のヒンジ軸部２０が設けてある。操作キー部材３は第二のヒンジ軸部２０によって第一の把持手段４と回動自在に接続されている。第二のヒンジ軸部２０の周りにはばねＢ７０が設けてある。ばねＢ７０はばね等の弾性素材で構成し第二のヒンジ軸部２０の周りに巻きつけてある。ばねＢ７０は付勢手段の一例である。ばねＢ７０は操作キー部材３が閉じられた状態のとき操作キー部材３と第一の把持手段４の間に操作キー部材開放方向２１５に付勢する反発力が働くように設置する。第一の把持手段４にはスライドスイッチ１６１が設けられておりスライドスイッチ１６１を把持手段上方向２０７にスライドさせると第一の把持手段４上に設置されたロック金具６３が操作キー部材３上に設けられたとめ具６４を開放する。とめ具６４が開放されると操作キー部材３はばねＢ７０によって付勢されて第二のヒンジ軸部２０の周りを操作キー部材開放方向２１５に移動する。操作キー部材３が移動した状態を図１４（ｂ）に説明する。
操作キー部材３が移動すると操作キー部材３の内表面に設置した第三の操作キー１７と第一の把持手段４の上に設置した第二の操作キー１２が露出する。操作キー部材を閉じる方向に回動付勢するには、ばねＢ７０を操作キー部材３が開いた状態のとき操作キー部材３と第一の把持手段４の間に、操作キー部材を閉じる方向に付勢する反発力が働くように設置する。
【００６７】
（第四の実施の形態）
図１５、図１６、図１７、図１８、図１９、図２０を用いて本発明にかかわるデータ入力装置の第四の実施形態を説明する。
第四の実施形態は主に請求項１と請求項１３から請求項１８に対応する。
まず図１５を用いて第四の実施例の概略を説明する。図１５（ａ）（ｂ）は本発明を適用した携帯電話の正面図である。第一の把持手段４上に第一の把持手段の外縁を超えて移動可能なアームＡ７１を構成する。アームＡ７１の上には操作キー５を設ける。図１５（ｂ）にアームＡ７１を第一の把持手段４上に収納した状態を説明する。アームが移動する方法は図１５（ａ）（ｂ）に示すように把持手段上に設けられたガイドレールを摺動移動する方法でもよいし図１５（ｃ）に示すように第一のヒンジ軸部１９を中心に回動移動する方法でもよい。
【００６８】
続いて図１６（ａ）（ｂ）を用いてアームＡ７１上を第一の把持手段４の外縁を超えて摺動移動可能とする構成を説明する。図１６は請求項１４を説明している。
図１６（ａ）は図１５（ａ）（ｂ）に示す本発明を適用した携帯電話のアームＡ７１と第一の把持手段４を接合するアーム接合部２２９の斜視図である。アームＡ７１表面上には操作キー５を設ける。アームＡ７１は第一の把持手段４に対して摺動移動可能であり、アームＡ７１を摺動移動することによって操作キー５が第一の把持手段４の外縁を超えて移動できる。図１６（ｂ）にアームＡ７１と第一の把持手段４の接触部分であるアーム接触部分Ａ２０８の拡大図を示す。アームＡ７１のうち第一の把持手段と接触する部分には凸部材Ｃ５９が設けてある。凸部材Ｃ５９は第一の把持手段４に設けられた第一のガイドレール１６に摺動自在にはまる。
【００６９】
続いて図１６（ｃ）を用いて各々のアームを駆動力伝達手段で接続して連動可能とする構成を説明する。図１６の（ｃ）は第一の把持手段とアームの正面透視図である。請求項１７に記載の発明を説明している。駆動力伝達手段としてはピニオンを使用した例を説明する。第一の把持手段４上には同じ回転軸に固定されたピニオン大９８とピニオン小９７を設ける。ピニオン小９７は第一のラッチ８６と係合しており、ピニオン小９７の回転に伴って第一のラッチ８６は移動する。第一のラッチ８６はアームＢ７２に固定されておりアームＢ７２は第一のラッチ８６とともにピニオン小９７の回転に伴って移動する。ピニオン大９８にも同様に第二のラッチ８７とアームＡ７１が接続されておりピニオン大９８の回転に伴ってアームＡ７１も移動する。ここでピニオン小９７とピニオン大９８は同じ回転軸に固定されているのでどちらかが回転すれば他方も同じ方向に回転する。
この構成にすることによって一方のアームの駆動力を他方に伝達することができる。すなわちひとつのアームを動かすだけで他のアームを所望の位置に移動することができる。連動して動作する各アームの移動方向と移動量はピニオンとラッチの歯数を適切に選択することで任意に変更することができる。
【００７０】
続いて図１７を用いてアームＡ７１と第一の把持手段４の電気的接続を説明する。図１７はアームＡ７１と第一の把持手段４の正面図である。アームＡ７１上に設けた操作キー５はキースイッチ１５０を持つ。キースイッチ１５０は導電線１５１によって電気接点Ｄ１５７、電気接点Ｅ１５８と電気的に接続されている。電気接点Ｄ１５７、電気接点Ｅ１５８は電気的に短絡されており、操作キー５に入力された電気信号は電気接点Ｄ１５７と電気接点Ｅ１５８に等しく伝播する。電気接点Ｄ１５７はアームＡ７１が第一の把持手段４に収納されたときに第一の把持手段４と電気的接触を保つ接点であり、電気接点Ｅ１５８はアームＡ７１が第一の把持手段４の外縁を超えて移動した状態に第一の把持手段４と電気的接触を保つ接点である。図１７（ａ）はアームＡ７１が第一の把持手段４に収納されている状態を説明した正面図である。操作キー５が押下されるとキースイッチ１５０が導通し、電気信号が電気接点Ｄ１５７を通して第一の把持手段４上に設けられた電気接点Ｍ１６８に入力される。図１７（ｂ）はアームＡ７１が第一の把持手段４の外縁を超えて移動した状態を説明している。操作キー５が押下されるとキースイッチ１５０が導通し、電気信号が電気接点Ｅ１５８を通して第一の把持手段４上に設けられた電気接点Ｍ１６８に入力される。ここで電気接点Ｍ１６８は延出状態、収納状態にかかわらずアームＡ７１と接触できるように第一の把持手段４の外縁部に設置する。電気接点Ｍ１６８に入力された電気信号は外部の信号処理回路に入力される。図１７では簡略化のため導電線は一本しか記していないが、実際の構成ではアームＡ７１上の接点と同数の導電線が必要である。
アームＡ７１と第一の把持手段４の電気的接続は図１０に示す操作キー部材３と第一の把持手段４の電気的接続を適用してもよい。すなわちアームＡ７１と第一の把持手段４に開口部を設け、開口部に導電線を通すことによって電気的接続を行ってもよい。
【００７１】
続いて図１８を用いて摺動部材からなるアームＡ７１を付勢する手段とアームの動きを拘束又は解放するロック機構を説明する。
図１８はアーム７１と第一の把持手段４の透視図である。アームＡ７１を付勢する手段とアームの動きを拘束又は解放するロック機構は図１１に示す操作キー部材３を付勢する手段と操作キー部材３の動きを拘束又は解放するロック機構を適用する。図１８は請求項１８を説明している。
図１８（ａ）はアーム７１の正面透視図である。図１８（ｃ）は図１８（ａ）の付勢手段断面２０４を把持手段下方向２０９から見た図である。図１８（ａ）（ｃ）はアームＡ７１が第一の把持手段４に収納された状態にあり、ロック金具６３によって固定されている状態を説明している。アームＡ７１はとめ具６４によって支軸Ａ６０に摺動自在に取り付けられている。アームＡ７１は支軸Ａ６０に沿って第一の把持手段４の左右方向に摺動することができる。支軸Ａ６０は第一の把持手段４に取り付けられておりばねＡ６２が巻きつけてある。ばねＡ６２は第一の把持手段４と止め具６４の間に反発力が生じるように設置されている。アームＡ７１をばねＡ６２の反発力に逆らって第一の把持手段右方向２０６に押し付けるととめ具６４がロック金具６３にロックされる。ロック機構の拘束または開放を指示する指示手段としてはたとえばスライドスイッチがある。ロック金具６３はスライドスイッチ１６１を操作することによってとめ具６４のロックを解除する。スライドスイッチ１６１を第一の把持手段下方向２０９にスライドさせると止め具６４およびアームＡ７１はばねＡ６２の反発力によって第一の把持手段左方向２１０に向かって移動する。図１８（ｂ）（ｄ）にアームＡ７１が第一の把持手段左方向２１０に移動した状態を図示する。アームＡ７１を延出する方向に付勢するか収納する方向に付勢するかはばねＡ６２の設置位置によって変更することができる。止め具６４より右側にばねＡ６２を設置すれば第一の把持手段４左方向２１０に反発力が働き、止め具６４より左側にばねＡ６２を設置すれば第一の把持手段４右方向２０６に反発力が働く。収納方向、または延出方向に反発力の生じる方向を調整することができる。
【００７２】
続いて図１９、図２０を用いてアームを第一の把持手段とヒンジ軸で接続し、第一の把持手段４の外縁を超えて回動可能にする構成を説明する。
図１９は主に請求項１５から請求項１７を説明している。
図１９（ａ）は図１５（ｃ）に示した本発明を適用した携帯電話のアームＣ９４と第一の把持手段４の斜視図である。アームを第一の把持手段へヒンジ軸で接続し、第一の把持手段４の外縁を超えて回動可能にする構成の概略を説明している。
操作キー５を配置したアームＣ９４を第一の把持手段４に回動可能に接続する。
アームＣ９４は回動によって第一の把持手段４の外縁を超えた位置に移動できる。
【００７３】
図１９（ｂ）はアームの構成を説明している。図１９（ｂ）は図１９（ａ）の操作キー部材断面Ｃ２２４で切断したアームＣ９４の断面を把持手段右方向２０６から見た断面図である。アームＣ９４は請求項３に記載の発明の構成を利用している。図４（ａ）において操作キー５を一列ごとに別々の操作キー部材３に配置して回動部材（アーム）を構成し、別々の第一のヒンジ軸部１９で第一の把持手段４と接続した構成と同一である。ここで第一のヒンジ軸部１９の接続位置は必ずしもアームＣ９４の中央に接続する必要はない。図１９（ｂ）では第一のヒンジ軸部１９は使用者がデータ入力装置を手に持ったときの正面に対して上方向、図１９（ｂ）の左端に接続されている。アーム上の操作キーと第一の把持手段４を電気的に接続する方法は図５（ｄ）に示すように第一のヒンジ軸部１９を中空に構成し、中空部分に導電線１５１を通すことによって実現できる。
【００７４】
図１９の（ｃ）は第一の把持手段の正面図である。アームと第一の把持手段４の接続を説明している。請求項１６に記載の発明を説明している。第一の把持手段４とアームＣ９４、アームＤ９５、アームＥ９６それぞれを第一のヒンジ軸部１９で接続している。ここで第一の把持手段４の外縁を超えて延出するアームＣ９４の長手方向の長さ２２１は第一のヒンジ軸部１９から第一の把持手段外縁までの距離２２０より長く構成する。この構成によって回動に伴ってアームＣ９４は第一の把持手段４の外縁を超えて延出した位置に移動可能である。第一のヒンジ軸部１９はアームＣ９４、アームＤ９５、アームＥ９６が第一の把持手段上に占有するアーム占有領域２２５の対角線状２２６に設置する。この構成により隣接するアーム間の距離を均一に保ちつつ、最大のアーム間隔を得ることができる。
【００７５】
図１９の（ｄ）は第一の把持手段とアームの正面透視図である。各々のアームを駆動力伝達手段で接続して連動可能とする構成を説明している。請求項１７に記載の発明を説明している。駆動力伝達手段としてはピニオンを使用した例を説明する。各アームと第一の把持手段４を接続する第一のヒンジ軸部１９にはピニオン９２が取り付けられている。各アームに設けたピニオン同士はアイドルギア９３で連結されている。アームが回転するとピニオンも回転し、他のアームに接続されたピニオンに駆動力が伝播する。この構成によりひとつのアームが動かされれば他のアームも連動して移動する。すなわちひとつのアームを動かすだけで他のアームを所望の位置に移動することができる。連動して動作する各アームの回転方向と回転量はピニオンとアイドルギアの数と歯数を適切に選択することで任意に変更することができる。
【００７６】
続いて図２０を用いて回動部材からなるアームＣ９４を付勢する手段とアームの動きを拘束又は解放するロック機構を説明する。図２０は請求項１８に記載の発明を説明している。図２０（ａ）（ｂ）はアームＣ９４の正面図である。図２０（ｃ）はコイルばねＢ７０の拡大正面図である。図２０（ｄ）はコイルばねＢ７０の拡大斜視図である。アームＣ９４とアームＣ９４を付勢するばねＢ７０の接続を説明している。ばねＢ７０は付勢手段の一例である。アームＣ９４は第一のヒンジ軸部１９によって第一の把持手段４と回動自在に接続されている。第一のヒンジ軸部１９の周りにはとめ具Ａ７４ととめ具Ｂ７５の間に反発力が生じるようにコイルばねＢ７０を巻きつける。とめ具Ｂ７５は第一の把持手段４と接続されており、とめ具Ａ７４はアームＣ９４と接続されている。この構成によりコイルばねＢ７０の反発力によってアームＣ９４は第一の把持手段４に対して回動する方向に付勢力を得る。図２０（ｂ）にアームＣ９４が付勢力によって回転移動して第一の把持手段から延出した状態を示す。
図２０（ｅ）（ｆ）はアームＣ９４の正面図である。アームの動きを拘束又は解放するロック機構を説明している。図２０（ｅ）はアームＣ９４が第一の把持手段に収納された状態を説明している。図２０（ｆ）はアームＣ９４が第一の把持手段の外縁を超えて延出した状態を説明している。アームＣ９４にはコイルばねＢ７０の反発力によって第一の把持手段４に対して付勢力を得ている。アームＣ９４には止め具６４が設けてあり、ロック金具６３でアームＣ９４が移動しないように抑えてある。ロック機構の拘束または開放を指示する指示手段としてはたとえばスライドスイッチがある。スライドスイッチ１６１を第一の把持手段４下方向２０９にスライドさせるとロック金具６３がとめ具６４を開放しアームＣ９４はコイルばねＢ７０の反発力によって回転移動する。アームＣ９４が回転移動した状態を図２０（ｆ）に示す。ここでとめ具Ａ７４ととめ具Ｂ７５が接近する方向に付勢力が働くようにコイルばねＢ７０を設置すればアームを収納する方向に付勢することができる。
【００７７】
（第五の実施の形態）
図２１から図２９を用いて本発明にかかわるデータ入力装置の第五の実施形態を説明する。
第五の実施例は主に請求項１、請求項３から請求項５、請求項１９から請求項２８に対応する。
まず図２１を用いて第五の実施例の概略を説明する。図２１は本発明を適用した表示部折り畳み方型の携帯電話の正面図である。図２１（ａ）は第一の把持手段４が第二の把持手段１８に対して移動したデータ入力時の状態を説明する図である。図２１（ｂ）は第一の把持手段４が第二の把持手段１８と当接した収納状態を説明する図である。第五の実施例を適用した携帯電話は第一の把持手段４を表示部２および第二の把持手段１８からなる本体に対して移動可能に接続する。第一の把持手段４を移動することによって親指移動範囲外部分２１２に位置する操作キーを押下しやすい位置に移動することができる。第二の把持手段１８と第一の把持手段４とあわせて挟み持つことによって表示部２を支え持つことができる。第一の把持手段４上には操作キー５が設けられている。操作キー５は第一の把持手段４が第二の把持手段１８に対して移動すると移動量に応じて位置を変更するように構成する。
【００７８】
続いて図２２を用いて第一の把持手段４を移動する構成と第一の把持手段と表示部の電気的接続を説明する。図２２は請求項２３を説明している。図２２（ａ）は図２１（ａ）に示す表示部２と第一の把持手段４を接続する把持手段接続部２１３の拡大斜視図である。表示部２と第一の把持手段４を直交した二組のヒンジで接続する。この構成により表示部をコンパクトな形に折りたたむ機能を損なうことなく第一の把持手段４を移動可能に構成できる。表示部２には連結部材Ｃ７６を通して円筒Ａ６８と接続する。円筒Ａ６８はまた円筒Ｂ６９と回動可能に接続されている。円筒Ａ６８と円筒Ｂ６９は中心を軸ピン７９で接続されており表示部２と第一の把持手段４をつなぐ直交した二組のヒンジのうちのひとつを構成する。円筒Ａ６８と円筒Ｂ６９からなるヒンジを中心として表示部２と第一の把持手段４を回転させることによって表示部２をコンパクトな形に折りたたむことができる。円筒Ｂ６９には連結部材Ｄ７７を通して円筒Ｃ８０が垂直に接続されている。円筒Ｃ８０はまた円筒Ｄ８１と回動可能に接続されており表示部２と第一の把持手段４をつなぐ直行した二組のヒンジのうちの残りのひとつを構成する。円筒Ｃ８０と円筒Ｄ８１からなる第三のヒンジ軸部２１は請求項２３に記載の第三のヒンジ軸部の一例である。円筒Ｃ８０と円筒Ｄ８１からなる第三のヒンジ軸部２１の中心軸は使用者が手に持ったときの第一の把持手段正面に垂直に設置する。円筒Ｄ８１は連結部材Ｅ７８を通して第一の把持手段４と接続している。図２１（ｂ）は表示部と把持手段接続部２１３の拡大正面図である。導電線１５１は表示部２から中空に構成された連結部材Ｃ７６、円筒Ａ６８、円筒Ｂ６９、連結部材Ｄ７７、円筒Ｃ８０、円筒Ｄ８１、連結部材Ｅ７８を通して第一の把持手段４と接続されている。軸ピン７９は第二の把持手段１８が接続されており第二の把持手段１８もまた表示部２に回動可能に接続されている。円筒Ａ６８と円筒Ｂ６９は表示部２を折りたたんでコンパクトにするためのヒンジを形成している。円筒Ａ６８と円筒Ｂ６９を削除して表示部２に直接第三のヒンジ軸部２１を接続すれば表示部と把持部一体型の携帯電話でも第一の把持手段４を第二の把持手段１８に対して移動可能に構成することができる。
【００７９】
続いて図２３、図２４を用いて操作キー部材を第一の把持手段上に回動可能に接続する構成を説明する。図２３は請求項２５を説明している。図２３（ａ）は第一の把持手段４の拡大斜視図である。操作キー部材３にはキー列を配置し、操作キー部材３と第一の把持手段４の接続は図１９（ｂ）に示す回動部材からなるアームの構成を使用する。アームは請求項３に記載の発明の構成を利用している。図４（ａ）において操作キー５を一列ごとに別々の操作キー部材３に配置して回動部材（アーム）を構成し、別々の第一のヒンジ軸部１９で第一の把持手段４と接続した構成と同一である。図２３（ｂ）と図２３（ｃ）は第一の把持手段４の正面拡大図である。図２３（ｂ）は操作キー部材３が第一の把持手段４の底辺と水平な状態を説明している。図２３（ｃ）は操作キー部材３が第一の把持手段４の底辺と水平な状態から移動した状態を説明している。操作キー部材３の移動に伴って操作キー５の角度も変更される。
【００８０】
ここで操作キー部材には操作キー５を配置する代わりに電気接点を備えた操作キートップ８を配置し、第一の把持手段４上に操作キートップ８に対応する電気接点を配置してもよい。図２４に電気接点を備えた操作キートップ８を配置した操作キー部材３と第一の把持手段４の接続を説明する。図２４は図７と同様に請求項４の一実施形態を説明している。
図２４（ａ）は図２３（ａ）における操作キー部材３と第一の把持手段４の拡大斜視図、図２４（ｂ）は把持手段正面方向２１１から見た操作キー部材３と第一の把持手段４の拡大正面図、図２４（ｃ）は把持手段下方向２０９から見た操作キー部材３と第一の把持手段４の拡大側面図である。操作キー部材３は回動部材Ｂ１０と回動部材Ｂ１０上に設けられた操作キートップ８と操作キートップ下に設けられた電気接点Ｊ１６４からなる。操作キー部材３は第一のヒンジ軸部１９によって第一の把持手段４へ回動可能に取り付けられている。第一の把持手段４上の操作キー部材３の移動する軌道下には操作キー部材３の軌道に沿って電気接点Ｋ１６５と電気接点Ｌ１６６が設けられておりそれぞれ導電線１５１と接続されている。操作キートップ８は連結部材Ｂ７３によって回動部材Ｂ１０と押下可能に接続されている。連結部材Ｂ７３は弾力のあるプラスチック材などで構成し、操作キートップ８が押下されていないときは操作キートップ上の電気接点Ｊ１６４と第一の把持手段上の電気接点Ｋ１６５、電気接点Ｌ１６６の接触を断つ。ここで操作キー部材３上の操作キートップ８が押下されると操作キートップ８の下に設置された電気接点Ｊ１６４が押し下げられ第一の把持手段４上の電気接点Ｋ１６５と電気接点Ｌ１６６を電気的に接続する。電気接点Ｋ１６５と電気接点Ｌ１６６は導電線１５１が接続されており導電線１５１を通じて操作キートップ８の押下によって発生した電気信号を外部回路に送る。ここで操作キー部材３が第一のヒンジ軸部１９の周りを回転移動しても電気接点Ｋ１６５と電気接点Ｌ１６６は操作キートップ８の移動する軌道下に敷設してあるので操作キートップ８に入力された電気信号を途切れることなく外部回路に送ることができる。図２４（ｂ）の操作キー部材３ａは第一のヒンジ軸部１９の周りを回転移動した操作キー部材の例である。
【００８１】
さらに操作キー部材には操作キー５を配置する代わりに操作キートップ８を配置し、第一の把持手段４上に操作キートップ８に対応するキースイッチを配置してもよい。図２５にキートップ８を押下することによって第一の把持手段４上に設置したキースイッチを導通させる構成を説明する。図２５は請求項５を説明している。図２５（ａ）は操作キー部材３と第一の把持手段４の拡大斜視図、図２５（ｂ）は把持手段正面方向２１１から見た操作キー部材３と第一の把持手段４の拡大正面図、図２５（ｃ）は把持手段下方向２０９から見た操作キー部材３と第一の把持手段４の拡大側面図である。図２４の構成において電気接点Ｊ１６４を凸部材Ｂ５８に置き換え、電気接点Ｋ１６５と電気接点Ｌ１６６でキースイッチ１５０を形成する。電気接点Ｋ１６５は板ばね状に形成し、板ばねの反発力によって操作キートップ８が押下されないときは電気接点Ｌ１６６と接触を断つ。
ここでキースイッチ１５０は操作キー部材３の移動する軌道下に任意の数設置し、操作キー部材３が移動しても操作キートップ８を押下すればデータ入力が行えるように構成する。図２５（ｂ）の操作キー部材３ａは第一のヒンジ軸部１９の周りを回転移動した操作キー部材の例である。同一の操作キートップ８に対応する電気接点Ｋ１６５は同じ導電線１５１に接続し、同様に同一の操作キートップ８に対応する電気接点Ｌ１６６は同じ導電線１５１に接続する。操作キートップ８が押下されると凸部材Ｂ５８が電気接点Ｋ１６５を押し下げ電気接点Ｌ１６６と電気的に接触させる。電気接点Ｋ１６５と電気接点Ｌ１６６の接触によって生じた電気信号は導電線１５１を通じて外部の信号処理回路に送られ処理される。
【００８２】
続いて図２６を用いて第一の把持手段の動きを拘束又は解放するロック機構と第一の把持手段を付勢する構成を説明する。図２６（ａ）は表示部２と把持手段接続部２１３の拡大正面図である。図２６は請求項２１を説明している。第一の把持手段の動きを拘束又は解放するロック機構は図１１に示すロック金具６４ととめ具６３からなる機構を第二の把持手段１８上に設ける。第二の把持手段１８上に設けたスライドスイッチ１６１を第一の把持手段右方向２０６に操作することによって第二の把持手段１８上のロック金具６３が第一の把持手段４上のとめ具６４を開放する。第一の把持手段４と表示部２の接触部分には付勢手段として板ばねＢ８２を設ける。板ばねＢ８２は第二の把持手段１８と第一の把持手段４が当接した状態のときに第一の把持手段４が第二の把持手段１８から離れる方向に反発力が働くように設置する。前記構成にすることによってスライドスイッチ１６１が第一の把持手段右方向２０６にスライドすると第一の把持手段４は板ばねＢ８２によって付勢され第三のヒンジ軸部２１を中心に回転し、第二の把持手段１８から離れる方向に付勢される。図２６（ｂ）に第一の把持手段４が付勢されて移動した状態を示す。第一の把持手段４を第二の把持手段１８に当接する方向に付勢するには板ばねＢ８２を、第二の把持手段１８に対して第一の把持手段４が任意の位置に移動した状態のときに第一の把持手段４が第二の把持手段１８に近づく方向に反発力が働くように設置する。
【００８３】
続いて図２７、図２８を用いて第一の把持手段の移動に連動して第一の把持手段に設置した操作キー部材を移動させる駆動力伝達手段の構成を説明する。図２７は本発明を適用した表示部と把持部分一体型の携帯電話の正面図である。図２７（ａ）は第一の把持手段４が第二の把持手段１８に当接して第一の把持手段４部材が移動していない状態を説明している。図２７（ｂ）は第一の把持手段４が第二の把持手段１８に対して移動した状態を説明している。図２７（ａ）図２７（ｂ）は請求項２８を説明している。移動可能に設置した操作キー部材としては図１９（ｂ）に示す回動部材からなるアームの構成を使用して、一列に操作キーを配置した操作キー部材３を使用している。駆動力伝達手段としては表示部２と操作キー部材３を接続する連結部材を使用している。第一の把持手段４は第三のヒンジ軸部２１によって表示部２と回動自在に接続されている。第一の把持手段４上には第一のヒンジ軸部１９が設けてあり第一のヒンジ軸部１９には操作キー部材３が接続されている。すなわち操作キー部材３が第一の把持手段４に対して回動可能に取り付けられている。操作キー部材３にはまた、任意の位置にピンジョイントＢ８４を設ける。ピンジョイントＢ８４は連結部材Ｆ８５と回動自在に接続されている。連結部材Ｆ８５の操作キー部材３と接続していない端はピンジョイントＡ８３によって回動自在に表示部２に接続されている。ここで第一の把持手段４が第三のヒンジ軸部２１を中心に回転移動すると操作キー部材３は連結部材Ｆ８５に引っ張られて元の位置にとどまろうとする。この構成により第一の把持手段４が移動すると連結部材Ｆ８５によって駆動力が操作キー部材３に伝わり操作キー部材３は第一の把持手段４の表面上で位置を変えることができる。ここで操作キー部材３を複数設けてそれぞれにキー列を割り当てる場合は、おのおのの操作キー部材３の第一のヒンジ軸部１９と接続していない端をピンジョイントＡ８４で連結部材Ｇ９１に回動可能に連結し、連結部材Ｇ９１を連結部材Ｆ８５と接続する構成としてもよい。この構成にすれば各操作キー部材３ごとに連結部材Ｆ８５を設けなくても単一の連結部材Ｆ８５で第一の把持手段４の移動に連動して操作キー部材３を移動させることができる。
ここで操作キー部材３と第一の把持手段４の接続方法は第一のヒンジ軸１９による接続でなくてもよい。すなわち図９（ａ）における構成を使用して第一の把持手段上に設けた第一のガイドレール上を摺動移動する操作キー部材を用いてもよい。また操作キー部材３を構成するのは単一のキー列でなくてもよい。すなわち図９（ａ）における構成を使用して単一の操作キー部材上に複数のキー列を構成してもよい。図９（ａ）に示す操作キー部材３を連結部材Ｆ８５で表示部２と接続した携帯電話の例を図２７（ｃ）（ｄ）に示す。図２７（ｃ）（ｄ）は請求項２６を説明している。
【００８４】
さらに第一の把持手段の移動に連動して前記操作キー部材を移動させる駆動力伝達手段は連結部材でなくてもよい。すなわち第二の把持手段１８と操作キー部材３をギアとラッチの組み合わせで接続して駆動力伝達手段としてもよい。図２８を用いてラッチとギアの組み合わせで駆動力を伝達する構成を説明する。図２８は請求項２７を説明している。図２７においてピンジョイントＢ８４と接続している連結部材Ｆ８５を第一のラッチ８６に置き換える。第一のラッチ８６は第一のアイドルギア８８と係合し、第一のアイドルギア８８は第二のアイドルギア８９と係合し、第二のアイドルギア８９は第二のラッチ８７と係合する。ここで第一のアイドルギア８８と第二のアイドルギア８９は第一の把持手段４上に回動自在に設置されている。第二のラッチ８７は第二の把持手段１８上に設置されている。第一の把持手段４の移動に連動して動作する操作キー部材３の回転方向と回転量はラッチをつなぐアイドルギアの数と歯数を適切に選択することで任意に変更することができる。上記構成によって第一の把持手段４が第三のヒンジ軸２１を中心に回動すると第一の把持手段４の駆動力がラッチとギアの組み合わせによって操作キー部材３に伝達される。
【００８５】
次に図２９を用いて表示部と第二の把持手段からなる本体に第二のガイドレールを設置し、第一の把持手段を第二のガイドレールによって摺動移動可能にする構成を説明する。図２９（ａ）（ｂ）は本発明を適用した携帯電話の正面図である。図２９（ｃ）（ｄ）は本発明を適用した携帯電話の分解斜視図である。図２９は請求項２４を説明している。表示部２には第二のガイドレール２２を設ける。第一の把持手段４には凸部材Ｄ９０を設ける。凸部材Ｄ９０は第二のガイドレール２２に嵌合し、第一の把持手段４は第二のガイドレール２２に沿って摺動移動可能である。第一の把持手段４と表示部２は開口部Ａ６７に導電線１５１を通すことによって電気的に接続されている。
【００８６】
なお、本発明は上記の実施例に限定されることなく本発明の要旨を変更しない範囲で様々な態様の実施が可能である。
【００８７】
【発明の効果】
本発明に係るデータ入力装置は、上述した構成を有するため、以下の効果を発揮することが出来る。
【００８８】
本発明に記載の発明によると筐体を把持する把持部分と、ファンクションキー、文字数字キーなどの操作キーを含む操作キー部分を別部品として構成し、把持部分に対して操作キーが位置を変えることができるように構成した。この構成により入力形態や使用者の好みに合わせて操作キーと把持部分の距離を変更することができる。さらに電気接点の開閉によってデータ入力をするので電気接点のクリック感を調整することによってタッチパネル入力にはないスイッチ操作感を得ることができ、操作ミスを軽減することができる。
【００８９】
請求項１から請求項１２に記載の発明によると操作キー部材を第一の把持手段上で上下に移動させることができる。これにより文字数字キーを多用する文字入力モード時は文字数字キーを入力しやすいように第一の把持手段上部に移動させることができる。またファンクションキーを多用する電話発信モードのときはファンクションキーを第一の把持手段上部に移動させることができる。これにより電話の発呼動作と文字入力のしやすさを両立する事ができる。入力に多用するキーを第一の把持手段上部に移動できるので第一の把持手段下部（入力に多用する操作キーがない）を手のひらで包み込んで把持固定の用途に供することができる。これにより片手のみで携帯情報機器を把持しても十分な把持力を得ることができる。手のひらで包み込むことによって十分な把持力を得られるので親指をデータ入力のために把持手段から離しても把持力が失われず携帯情報機器を取り落とすこともない。
【００９０】
さらに請求項４，５に記載の発明によれば操作キー部材にスイッチを構成する接点をすべて配置する必要がないので操作キー部材を薄型化、軽量化することができる。また、操作キー部材上に必要な部品数が少ないので操作キー部材交換時のコストを安く上げることができユーザーの好みに合わせたデザインの操作キー部材を交換パーツとして低価格で提供できる。
【００９１】
さらに請求項６，１１に記載の発明によれば操作キー部材が回転移動しても操作キーの表示が上下逆になることがないので文字入力モード時も電話発信モードのときも操作キーの表示の可読性を損なうことがない。
【００９２】
さらに請求項８、９に記載の発明によれば操作キー部材が第一の把持手段上部（または下部）に移動したときは第一の把持手段下部（または上部）にある第二の操作キー群を露出することができる。この構成により操作キー部材上の操作キーに加えて第二の操作キーのうち上部または下部が常に露出されて操作可能となっており操作キー部材が移動しても操作可能なキーの数が減ることがない。
【００９３】
さらに請求項８に記載の発明によれば操作キーの文字表示を正位置に保ったまま操作キー部材を移動することができる。請求項９に記載の発明によれば操作キー部材の角度を変更することによって操作キーの角度を変えることもできる。すなわち使用者の好みに合わせて操作キーの角度を変更することができる。これにより入力に使用する指の幅広方向と操作キーの幅広方向を一致させて隣接するキーを誤って押すことのない入力しやすい操作キー角度を得ることができる。
【００９４】
さらに請求項１０，１２に記載の発明によれば操作キー部材を付勢する付勢手段を備えることによって操作キー部材を手動で移動させる労力を節約することができる。
【００９５】
請求項１３から請求項１８に記載の発明によると第一の把持手段の外縁を超えて延出可能なアームによって操作キーを第一の把持手段の外縁を超えて移動させることができる。これにより使用状態に合わせて操作キーの配置面積を変更することができる。すなわちデータ入力時は操作キーを第一の把持手段の外縁を超えて移動させて（アームを第一の把持手段の外縁を超えて延出した状態）キー間隔を大きくすれば誤って隣のキーを押すことがない大きなキー間隔を得る。収納時は操作キーを第一の把持手段の外縁を超えない範囲にキー間隔を小さくして収納できる。すなわち大きなキー間隔と持ち運びやすいコンパクトなキーボード面積を両立させることができる。
【００９６】
さらに請求項１４に記載の発明によればアームの摺動によって操作キーが平行移動するので操作キーの文字表示を正位置に保ったまま操作キー部材を移動することができる。請求項１５に記載の発明によればアームの角度を変更することによって操作キーの角度を変えることができる。すなわち使用者の好みに合わせて操作キーの角度を変更することができる。これにより入力に使用する指の幅広方向と操作キーの幅広方向を一致させて隣接するキーを誤って押すことのない入力しやすい操作キー角度を得ることができる。
【００９７】
さらに請求項１６に記載のデータ入力装置によればアーム全体が第一の把持手段上に占有する領域の対角線状にヒンジ軸を配置するので一辺にヒンジ軸を並べた場合より、ヒンジ軸とヒンジ軸の間隔を大きく開けることができる。ヒンジ軸の間隔が開けばアームの間隔を大きくとることができ、隣接するキーを誤って押すことのない大きなキー間隔を得ることができる。
【００９８】
さらに請求項１７に記載のデータ入力装置によればアームが連動して動作するのでおのおののアームを別個に動かして一つ一つのアームそれぞれを好みの位置に調節する必要がない。すなわちひとつのアームを移動させれば残りのアームが連動してアームが延出したデータ入力状態（またはアームを収納した収納状態）へ移動することができる。
【００９９】
さらに請求項１８に記載の発明によれば操作キー部材を付勢する付勢手段を備えることによって操作キー部材を手動で移動させる労力を節約することができる。
【０１００】
請求項１９から請求項２８に記載の発明によれば拇指球と親指を除く４指で第二の把持手段と第一の把持手段を包み込んで把持することによって第一の把持手段のみを把持するよりも把持面積を大きくでき把持が安定する。これにより片手のみで携帯情報機器を把持しても十分な把持力を得ることができる。すなわち親指をデータ入力のために把持手段から離しても拇指球によって第二の把持手段を押さえることができ、十分な把持力を得られる。これにより親指をデータ入力のために把持手段から離しても把持力が失われず携帯情報機器を取り落とすこともない。
【０１０１】
また、請求項１９から２０，請求項２３から２４に記載の発明によれば第一の把持手段を第二の把持手段に対して移動する事によって第一の把持手段と第二の把持手段の距離を調整することが出来る。これにより、親指根元にある親指移動範囲外部分２１２に操作キーが位置しない距離に第一の把持手段と第二の把持手段の距離を調整できる。すなわちデータ入力しやすいキー配置を実現できる。また筐体が大きすぎたり小さすぎたりしてデータ入力に適さないサイズであっても個人の好みに合わせて第一の把持手段と第二の把持手段の距離を調整できる。
【０１０２】
また請求項２５、請求項２６に記載の発明によれば第一の把持手段上で操作キー部材を移動させることによって入力形態（片手で入力するか、両手で入力するか）に応じて適切なキー位置にキーを移動できる。すなわち両手を用いてデータ入力を行う場合は従来と同じ携帯情報機器の底面と平行なキー配列を使用し、片手でデータ入力を行う場合は親指の付け根の入力が難しい部分にあるキーを入力しやすい位置に移動できる。さらに移動に伴って操作キーの角度を変更できるので、操作キーの角度を変更して入力に使用する指の幅広方向と操作キーの幅広方向を一致させれば隣接キーを誤って押下してしまう操作ミスを軽減することができる。具体的には両手でデータ入力を行う場合は操作キーの角度が底面と平行になるように操作キー部材を移動し、片手でデータ入力を行う場合は操作キーの角度が利き手親指と垂直をなるように操作キー部材を移動する。
【０１０３】
また請求項２１に記載の発明によれば操作キー部材を付勢する付勢手段を備えることによって第一の手段と第二の把持手段の距離が人手を必要とせずにデータ入力に適した距離に開く。すなわち、第一の把持手段または第二の把持手段を手動で移動させる労力を不要とすることが出来る。
【０１０４】
さらに請求項２２に記載の発明によれば第一の把持手段の移動に連動して操作キー部材を移動させることができる。これにより片手でデータ入力を行う場合に第一の把持手段を移動すれば第一の把持手段の移動に伴って片手入力時に入力しにくい親指の付け根の部分にある操作キーを親指の付け根から離して移動できる。また両手でデータ入力を行う場合に第一の把持手段が第二の把持手段に近接した状態に移動すれば第一の把持手段の移動に伴って従来と同じ携帯情報機器の底面と平行な位置に操作キーを移動できる。
【図面の簡単な説明】
【図１】本発明に係るデータ入力装置の実施例図である。
（ａ）　本発明に係るデータ入力装置の第五の実施例図である。
（ｂ）　本発明に係るデータ入力装置の第二の実施例図である。
（ｃ）　本発明に係るデータ入力装置の第一の実施例図である。
（ｄ）　本発明に係るデータ入力装置の第四の実施例図である。
【図２】本発明を適用した携帯電話装置のブロック図である。
【図３】本発明に係るデータ入力装置の概要を説明する図である。
（ａ）　本発明に係るデータ入力装置の使用例図である。
（ｂ）　本発明に係るデータ入力装置を適用した携帯電話の正面図である。
（ｃ）　本発明に係るデータ入力装置を適用した携帯電話の側面図である。
【図４】本発明に係るデータ入力装置の構成を説明する図である。
（ａ）　本発明に係るデータ入力装置の斜視図である。
（ｂ）　本発明に係るデータ入力装置の部分拡大斜視図である。
（ｃ）　本発明に係るデータ入力装置の部分拡大側面図である。
【図５】本発明に係るデータ入力装置の構成を説明する図である。
（ａ）　本発明に係るデータ入力装置の部分拡大正面図である。
（ｂ）　本発明に係るデータ入力装置の部分拡大断面図である。
（ｃ）　本発明に係るデータ入力装置の部分拡大正面図である。
（ｄ）　本発明に係るデータ入力装置の部分拡大断面図である。
【図６】本発明に係るデータ入力装置の構成を説明する図である。
（ａ）　本発明に係るデータ入力装置の斜視図である。
（ｂ）　本発明に係るデータ入力装置の部分拡大正面図である。
（ｃ）　本発明に係るデータ入力装置の部分拡大正面図である。
【図７】本発明に係るデータ入力装置の構成を説明する図である。
（ａ）　本発明に係るデータ入力装置の部分拡大正面図である。
（ｂ）　本発明に係るデータ入力装置の部分拡大断面図である。
（ｃ）　本発明に係るデータ入力装置の正面透視図である。
（ｄ）　本発明に係るデータ入力装置の正面透視図である。
【図８】本発明に係るデータ入力装置の概要を説明する図である。
（ａ）　本発明に係るデータ入力装置を適用した携帯電話の斜視図である。
（ｂ）　本発明に係るデータ入力装置を適用した携帯電話の斜視図である。
【図９】本発明に係るデータ入力装置の構成を説明する図である。
（ａ）　本発明に係るデータ入力装置の斜視図である。
（ｂ）　本発明に係るデータ入力装置の断面図である。
（ｃ）　本発明に係るデータ入力装置の拡大断面図である。
【図１０】本発明に係るデータ入力装置の構成を説明する図である。
（ａ）　本発明に係るデータ入力装置の部分拡大正面透視図である。
（ｂ）　本発明に係るデータ入力装置の部分拡大正面透視図である。
（ｃ）　本発明に係るデータ入力装置の部分裏面図である。
【図１１】本発明に係るデータ入力装置の構成を説明する図である。
（ａ）　本発明に係るデータ入力装置の部分拡大正面図である。
（ｂ）　本発明に係るデータ入力装置の部分拡大断面図である。
（ｃ）　本発明に係るデータ入力装置の部分拡大正面図である。
（ｄ）　本発明に係るデータ入力装置の部分拡大断面図である。
【図１２】本発明に係るデータ入力装置の構成を説明する図である。
（ａ）　本発明に係るデータ入力装置を適用した携帯電話の分解斜視図である。（ｂ）　本発明に係るデータ入力装置を適用した携帯電話の部分拡大図である。
（ｃ）　本発明に係るデータ入力装置を適用した携帯電話の正面図である。
（ｄ）　本発明に係るデータ入力装置を適用した携帯電話の正面図である。
【図１３】本発明に係るデータ入力装置の概要と構成を説明する図である。
（ａ）本発明に係るデータ入力装置を適用した携帯電話の斜視図である。
（ｂ）　本発明に係るデータ入力装置を適用した携帯電話の斜視図である。
（ｃ）　本発明に係るデータ入力装置の部分拡大斜視図である。
（ｄ）　本発明に係るデータ入力装置の部分拡大正面図である。
【図１４】本発明に係るデータ入力装置の構成を説明する図である。
（ａ）　本発明に係るデータ入力装置の部分拡大側面図である。
（ｂ）　本発明に係るデータ入力装置の部分拡大側面図である。
【図１５】本発明に係るデータ入力装置の概要を説明する図である。
（ａ）　本発明に係るデータ入力装置を適用した携帯電話の正面図である。
（ｂ）　本発明に係るデータ入力装置を適用した携帯電話の正面図である。
（ｃ）　本発明に係るデータ入力装置を適用した携帯電話の正面図である。
【図１６】本発明に係るデータ入力装置の構成を説明する図である。
（ａ）　本発明に係るデータ入力装置の部分拡大斜視図である。
（ｂ）　本発明に係るデータ入力装置の部分拡大斜視図である。
（ｃ）　本発明に係るデータ入力装置の部分拡大透視正面図である。
【図１７】本発明に係るデータ入力装置の構成を説明する図である。
（ａ）　本発明に係るデータ入力装置の部分拡大正面図である。
（ｂ）　本発明に係るデータ入力装置の部分拡大正面図である。
【図１８】本発明に係るデータ入力装置の構成を説明する図である。
（ａ）　本発明に係るデータ入力装置の部分拡大正面図である。
（ｂ）　本発明に係るデータ入力装置の部分拡大正面図である。
（ｃ）　本発明に係るデータ入力装置の部分拡大断面図である。
（ｄ）　本発明に係るデータ入力装置の部分拡大断面図である。
【図１９】本発明に係るデータ入力装置の構成を説明する図である。
（ａ）　本発明に係るデータ入力装置の部分拡大斜視図である。
（ｂ）　本発明に係るデータ入力装置の部分断面図である。
（ｃ）　本発明に係るデータ入力装置の部分拡大正面図である。
（ｄ）　本発明に係るデータ入力装置の部分拡大正面透視図である。
【図２０】本発明に係るデータ入力装置の構成を説明する図である。
（ａ）　本発明に係るデータ入力装置の部分拡大正面図である。
（ｂ）　本発明に係るデータ入力装置の部分拡大正面図である。
（ｃ）　本発明に係るデータ入力装置の部分拡大正面図である。
（ｄ）　本発明に係るデータ入力装置の部分拡大斜視図である。
（ｅ）　本発明に係るデータ入力装置の部分拡大正面図である。
（ｆ）　本発明に係るデータ入力装置の部分拡大正面図である。
【図２１】本発明に係るデータ入力装置の概略を説明する図である。
（ａ）　本発明に係るデータ入力装置を適用した携帯電話の正面図である。
（ｂ）　本発明に係るデータ入力装置を適用した携帯電話の正面図である。
【図２２】本発明に係るデータ入力装置の構成を説明する図である。
（ａ）　本発明に係るデータ入力装置の部分拡大斜視図である。
（ｂ）　本発明に係るデータ入力装置部分拡大正面図である。
【図２３】本発明に係るデータ入力装置の構成を説明する図である。
（ａ）　本発明に係るデータ入力装置の部分拡大斜視図である。
（ｂ）　本発明に係るデータ入力装置部分拡大正面図である。
（ｃ）　本発明に係るデータ入力装置部分拡大正面図である。
【図２４】本発明に係るデータ入力装置の構成を説明する図である。
（ａ）　本発明に係るデータ入力装置の部分拡大斜視図である。
（ｂ）　本発明に係るデータ入力装置の部分拡大正面図である。
（ｃ）　本発明に係るデータ入力装置の部分拡大側面図である。
【図２５】本発明に係るデータ入力装置の構成を説明する図である。
（ａ）　本発明に係るデータ入力装置の部分拡大斜視図である。
（ｂ）　本発明に係るデータ入力装置の部分拡大正面図である。
（ｃ）　本発明に係るデータ入力装置の部分拡大側面図である。
【図２６】本発明に係るデータ入力装置の構成を説明する図である。
（ａ）　本発明に係るデータ入力装置の部分拡大正面図である。
（ｂ）　本発明に係るデータ入力装置の部分拡大正面図である。
【図２７】本発明に係るデータ入力装置の構成を説明する図である。
（ａ）　本発明に係るデータ入力装置の部分拡大正面図である。
（ｂ）　本発明に係るデータ入力装置の部分拡大正面図である。
（ｃ）　本発明に係るデータ入力装置の部分拡大正面図である。
（ｄ）　本発明に係るデータ入力装置の部分拡大正面図である。
【図２８】本発明に係るデータ入力装置の構成を説明する部分拡大正面透視図である。
【図２９】本発明に係るデータ入力装置の概略と構成を説明する図である。
（ａ）　本発明に係るデータ入力装置を適用した携帯電話の正面図である。
（ｂ）　本発明に係るデータ入力装置を適用した携帯電話の正面図である。
（ｃ）　本発明に係るデータ入力装置の部分拡大斜視図である。
（ｄ）　本発明に係るデータ入力装置の部分拡大斜視図である。
【図３０】従来のデータ入力装置を適用した携帯電話の図である。
（ａ）　従来のデータ入力装置の正面図である。
（ｂ）　従来のデータ入力装置の使用例図である。
（ｃ）　従来のデータ入力装置の使用例図である。
【符号の説明】
１　表示画面
２　表示部
３　操作キー部材
４　第一の把持手段
５　操作キー
６　文字数字キー
７　ファンクションキー
８　操作キートップ
９　回動部材Ａ
１０　回動部材Ｂ
１１　第一の操作キー
１２　第二の操作キー
１３　文字数字キートップ
１４　ファンクションキートップ
１６　第一のガイドレール
１７　第三の操作キー
１８　第二の把持手段
１９　第一のヒンジ軸部
２０　第二のヒンジ軸部
２１　第三のヒンジ軸部
２２　第二のガイドレール
３０　入力部
３１　入力信号処理回路
３２　制御部
３３　撮影ユニット
３４　無線電話ユニット
３５　メモリ
３６　電源部
３７　表示駆動部
３８　表示部
５０　ヒンジ軸
５１　とめ具
５２　とめ具押さえ
５３　板ばねＡ
５４　くぼみＡ
５５　凸部材Ａ
５６　くぼみＢ
５７　ヒンジ軸部Ａ
５８　凸部材Ｂ
５９　凸部材Ｃ
６０　支軸Ａ
６１　連結部材Ａ
６２　ばねＡ
６３　ロック金具
６４　とめ具
６５　ばねＢ
６６　ヒンジ軸部Ｂ
６７　開口部Ａ
６８　円筒Ａ
６９　円筒Ｂ
７０　ばねＢ
７１　アームＡ
７２　アームＢ
７３　連結部材Ｂ
７４　とめ具Ａ
７５　とめ具Ｂ
７６　連結部材Ｃ
７７　連結部材Ｄ
７８　連結部材Ｅ
７９　軸ピン
８０　円筒Ｃ
８１　円筒Ｄ
８２　板ばねＢ
８３　ピンジョイントＡ
８４　ピンジョイントＢ
８５　連結部材Ｆ
８６　第一のラッチ
８７　第二のラッチ
８８　第一のアイドルギア
８９　第二のアイドルギア
９０　凸部材Ｄ
９１　連結部材Ｇ
９２　ピニオン
９３　アイドルギア
９４　アームＣ
９５　アームＤ
９６　アームＥ
９７　ピニオン小
９８　ピニオン大
９９　開口部Ｂ
１００　留め具Ｃ
１０１　文字
１０２　数字
１５０　キースイッチ
１５１　導電線
１５２　電気接点Ａ
１５３　電気接点Ｂ
１５４　電気接点Ｃ
１５５　ファンクションキー用接点
１５６　文字数字キー用接点
１５７　電気接点Ｄ
１５８　電気接点Ｅ
１５９　電気接点Ｆ
１６０　電気接点Ｇ
１６１　スライドスイッチ
１６２　電気接点Ｈ
１６３　電気接点Ｉ
１６４　電気接点Ｊ
１６５　電気接点Ｋ
１６６　電気接点Ｌ
１６７　スペーサ
１６８　電気接点Ｍ
２００　第一の把持手段横中央線
２０１　親指
２０２　押下容易部分
２０３　付勢手段部分
２０４　付勢手段断面
２０５　電気接点断面
２０６　把持手段右方向
２０７　把持手段上方向
２０８　アーム接触部分Ａ
２０９　把持手段下方向
２１０　把持手段左方向
２１１　把持手段正面方向
２１２　親指移動範囲外部分
２１３　表示部と把持手段接続部
２１４　第一の把持手段左右方向断面
２１５　操作キー部材開放方向
２１６　操作キー部材の上端までの距離
２１７　操作キー部材の下端までの距離
２１８　第二の操作キー上部
２１９　第二の操作キー下部
２２０　ヒンジ軸部から第一の把持手段外縁までの距離
２２１　アーム長手方向の長さ
２２２　操作キー部材横断面Ａ
２２３　操作キー部材横断面Ｂ
２２４　操作キー部材断面Ｃ
２２５　アーム占有領域
２２６　アーム占有領域対角線
２２７　アーム接触部分Ｂ
２２８　共通カバー領域
２２９　アーム接合部
【図１】
2004112758.tif 000003
【図２】
2004112758.tif 000004
【図３】
2004112758.tif 000005
【図４】
2004112758.tif 000006
【図５】
2004112758.tif 000007
【図６】
2004112758.tif 000008
【図７】
2004112758.tif 000009
【図８】
2004112758.tif 000010
【図９】
2004112758.tif 000011
【図１０】
2004112758.tif 000012
【図１１】
2004112758.tif 000013
【図１２】
2004112758.tif 000014
【図１３】
2004112758.tif 000015
【図１４】
2004112758.tif 000016
【図１５】
2004112758.tif 000017
【図１６】
2004112758.tif 000018
【図１７】
2004112758.tif 000019
【図１８】
2004112758.tif 000020
【図１９】
2004112758.tif 000021
【図２０】
2004112758.tif 000022
【図２１】
2004112758.tif 000023
【図２２】
2004112758.tif 000024
【図２３】
2004112758.tif 000025
【図２４】
2004112758.tif 000026
【図２５】
2004112758.tif 000027
【図２６】
2004112758.tif 000028
【図２７】
2004112758.tif 000029
【図２８】
2004112758.tif 000030
【図２９】
2004112758.tif 000031
【図３０】
2004112758.tif 000032